(57)【特許請求の範囲】
【請求項１】
陰圧創傷療法装置であって、
流体流路を介して創傷に陰圧を提供するように構成される陰圧源と、
コネクタポートであって、前記陰圧源の入口と流体連通し、（ｉ）前記創傷から吸引された流体を保存するよう構成されたキャニスタか、（ｉｉ）創傷被覆材であって、該創傷被覆材と前記コネクタポートとの間にキャニスタを有しない創傷被覆材、のいずれかに流体接続されるよう構成されたコネクタポートと、
前記コネクタポートに配置された複数のスイッチと、
コントローラであって、
前記複数のスイッチから受信した信号に基づいて、前記キャニスタが前記流体流路内に位置付けられているかどうかを判断し、
前記判断に基づいて陰圧創傷療法の一つまたは複数の動作パラメータを調整するよう構成されたコントローラと、を備える陰圧創傷療法装置。
【請求項２】
前記複数のスイッチが、前記コネクタポートの凹部内に配置される少なくとも一つのスイッチを備える、請求項１に記載の装置。
【請求項３】
前記複数のスイッチが、キャニスタコネクタが前記凹部内に挿入された時に起動され、被覆材コネクタが前記凹部内に挿入された時に起動されないように構成される少なくとも一つのスイッチを備える、請求項２に記載の装置。
【請求項４】
前記コントローラがさらに、前記複数のスイッチがそれぞれ起動された時に前記キャニスタが接続されていることを判断するよう構成される、請求項１〜３のいずれか一項に記載の装置。
【請求項５】
前記コントローラが、前記複数のスイッチの少なくともいくつかが起動されたときに前記キャニスタが接続されていると判断するようにさらに構成される、請求項１〜４のいずれか一項に記載の装置。
【請求項６】
前記複数のスイッチが、前記コネクタポートの凹部の反対壁上に位置付けられる第一および第二のスイッチを備える、請求項１〜５のいずれか一項に記載の装置。
【請求項７】
前記複数のスイッチがラジアルスイッチまたは回転スイッチである、請求項１〜６のいずれか一項に記載の装置。
【請求項８】
前記複数のスイッチが電気スイッチを備える、請求項１〜７のいずれか一項に記載の装置。
【請求項９】
前記複数のスイッチが、前記キャニスタの磁石によって生成される磁場の変化を検出するように構成される少なくとも一つのスイッチを備える、請求項１〜８のいずれか一項に記載の装置。
【請求項１０】
前記複数のスイッチが、容量センサ、誘導センサ、赤外線センサ、超音波センサ、光学センサ、または光検出器のうち少なくとも一つを備える、請求項１〜９のいずれか一項に記載の装置。
【請求項１１】
少なくともいくつかの動作パラメータを示すように構成されたユーザインターフェースをさらに備え、前記コントローラが前記判断に基づいて前記ユーザインターフェースを調整するようにさらに構成される、請求項１〜１０のいずれか記載の装置。
【請求項１２】
キャニスタコネクタを備えるキャニスタと被覆材コネクタを備える被覆材とをさらに備え、前記キャニスタコネクタおよび前記被覆材コネクタが、前記コネクタポートに取り付けられるように構成される、請求項１〜１１のいずれかに記載の装置。
【発明の詳細な説明】
【技術分野】
【０００１】
関連出願の相互参照
本開示は、「ＮＥＧＡＴＩＶＥ  ＰＲＥＳＳＵＲＥ  ＷＯＵＮＤ  ＴＨＥＲＡＰＹ  ＡＰＰＡＲＡＴＵＳＥＳ  ＡＮＤ  ＭＥＴＨＯＤＳ  ＦＯＲ  ＵＳＩＮＧ  ＴＨＥ  ＳＡＭＥ，」と題する、２０１７年２月１５日出願の米国仮特許出願第６２／４５９，５１１号と、「ＮＥＧＡＴＩＶＥ  ＰＲＥＳＳＵＲＥ  ＷＯＵＮＤ  ＴＨＥＲＡＰＹ  ＡＰＰＡＲＡＴＵＳＥＳ  ＡＮＤ  ＭＥＴＨＯＤＳ  ＦＯＲ  ＵＳＩＮＧ  ＴＨＥ  ＳＡＭＥ」と題する、２０１７年２月１５日出願の米国仮特許出願第６２／４５９，５２４号と、「ＮＥＧＡＴＩＶＥ  ＰＲＥＳＳＵＲＥ  ＷＯＵＮＤ  ＴＨＥＲＡＰＹ  ＡＰＰＡＲＡＴＵＳＥＳ  ＡＮＤ  ＭＥＴＨＯＤＳ  ＦＯＲ  ＵＳＩＮＧ  ＴＨＥ  ＳＡＭＥ」と題する、２０１７年２月１５日出願の米国仮特許出願第６２／４５９，５２５号と、「ＮＥＧＡＴＩＶＥ  ＰＲＥＳＳＵＲＥ  ＷＯＵＮＤ  ＴＨＥＲＡＰＹ  ＡＰＰＡＲＡＴＵＳＥＳ  ＡＮＤ  ＭＥＴＨＯＤＳ  ＦＯＲ  ＵＳＩＮＧ  ＴＨＥ  ＳＡＭＥ」と題する、２０１７年２月１５日出願の米国仮特許出願第６２／４５９，５３７号と、「ＮＥＧＡＴＩＶＥ  ＰＲＥＳＳＵＲＥ  ＷＯＵＮＤ  ＴＨＥＲＡＰＹ  ＡＰＰＡＲＡＴＵＳＥＳ  ＡＮＤ  ＭＥＴＨＯＤＳ  ＦＯＲ  ＵＳＩＮＧ  ＴＨＥ  ＳＡＭＥ」と題する、２０１７年２月１５日出願の米国仮特許出願第６２／４５９，５２８号と、「ＮＥＧＡＴＩＶＥ  ＰＲＥＳＳＵＲＥ  ＷＯＵＮＤ  ＴＨＥＲＡＰＹ  ＡＰＰＡＲＡＴＵＳＥＳ  ＡＮＤ  ＭＥＴＨＯＤＳ  ＦＯＲ  ＵＳＩＮＧ  ＴＨＥ  ＳＡＭＥ」と題する、２０１７年１１月９日出願の米国仮特許出願第６２／５８４，０５３号に関し、本出願のそれぞれ全体が参照によって本明細書に組み込まれる。
【背景技術】
【０００２】
本開示の実施形態または配置は、局所陰圧（ＴＮＰ）療法を用いて、創傷を被覆かつ治療するための方法及び装置に関する。例えば、本明細書に開示される任意の実施形態は、ポンプキットから供給される減圧で創傷を治療することに関し得る。必須ではないが、ポンプキットの任意の実施形態は滅菌であってよい。別の非限定的な例として、本明細書に開示される任意の実施形態は、ＴＮＰシステムの動作を制御するための装置および方法に関する。
【０００３】
様々な種類の創傷被覆材が、ヒトまたは動物の治癒過程を補助するものとして知られている。様々な種類の創傷被覆材には、様々な種類の材料及び層、例えば、ガーゼパッド、またはフォームパッドといったパッドが含まれる。局所陰圧（ＴＮＰ）療法は、真空補助閉鎖療法、陰圧創傷療法、または減圧創傷療法とも称されることがあり、創傷の治癒率を改善するための有益な機構として広く認識されている。こうした療法は、切開創傷、開放創、及び腹部創などの広範な創傷に適用することができる。
【０００４】
ＴＮＰ療法は、組織浮腫を軽減し、血流を促し、肉芽組織の形成を促進させ、過剰な滲出物を除去することによって創傷の閉鎖及び治癒を促し、細菌負荷を低減し、さらに創傷への感染の可能性を低減し得る。その上、ＴＮＰ療法は、創傷の外部障害を減らし、より迅速な治癒を促す。
【発明の概要】
【０００５】
本開示の実施形態は、創傷治療のための装置及び方法に関する。本明細書に記載の創傷治療装置のうちのいくつかは、創傷部位に陰圧をかけるためのポンプシステムまたはアセンブリを含む。創傷治療装置はまた、本明細書に記述したポンプアセンブリと組み合わせて使用され得る創傷被覆材と、および創傷被覆材をポンプアセンブリに接続するためのコネクタとを備え得る。
【０００６】
いくつかの実施形態では、陰圧創傷療法装置が開示される。装置は、陰圧源と、コネクタポートと、コネクタポートに配置された少なくとも一つのスイッチと、コントローラとを含む。陰圧源は、流体流路を介して創傷に陰圧を提供し得る。コネクタポートは、陰圧源の入口と流体連通し、（ｉ）創傷から吸引された流体を保存するよう構成されたキャニスタか、（ｉｉ）コネクタポートと創傷被覆材との間にキャニスタのない創傷被覆材のいずれかに流体接続されるよう構成される。コントローラは、少なくとも一つのスイッチから受信した信号に基づいて、キャニスタが流体流路内に位置付けられているかどうかを判断し、その判断に基づいて陰圧創傷療法の一つまたは複数の動作パラメータを調整する。
【０００７】
上記の段落に記載の装置はさらに、以下の特徴のうちの一つまたは複数を含み得る。少なくとも一つのスイッチは、コネクタポートの凹部内に配置され得る。少なくとも一つのスイッチは、キャニスタコネクタが凹部内に挿入されると起動され、被覆材コネクタが凹部に挿入されると起動されない。少なくとも一つのスイッチは複数のスイッチを含むことができ、コントローラはさらに、複数のスイッチがそれぞれ起動されるとキャニスタが接続されていると判定するように構成され得る。少なくとも一つのスイッチは複数のスイッチを含むことができ、コントローラはさらに、複数のスイッチの少なくともいくつかが起動されるとキャニスタが接続されていると判定するように構成され得る。複数のスイッチは、凹部の反対壁上に位置する第一および第二のスイッチを含み得る。少なくとも一つのスイッチは、ラジアルスイッチまたは回転スイッチとすることができる。少なくとも一つのスイッチは、陰圧が陰圧源によって提供されると、流体流路を通って流れる少なくとも一部の流体が流体接触スイッチと接触する流体接触スイッチを含み得る。少なくとも一つのスイッチは、電気スイッチを含み得る。少なくとも一つのスイッチは、流体流路内に位置付けられ得る。少なくとも一つのスイッチは、キャニスタの磁石によって生成される磁場の変化を検出することができる。少なくとも一つのスイッチによって検出された磁石は、実質的に球状とすることができる。少なくとも一つのスイッチは、ホール効果センサを含み得る。少なくとも一つのスイッチは、容量センサ、誘導センサ、赤外線センサ、超音波センサ、光学センサ、または光検出器のうちの少なくとも一つを含み得る。装置は、少なくともいくつかの動作パラメータを示すように構成されたユーザインターフェースをさらに含むことができ、コントローラは判断に基づいてユーザインターフェースを調整することができる。装置はさらに、キャニスタコネクタを有するキャニスタと、被覆材コネクタを有する被覆材とを含み、キャニスタコネクタおよび被覆材コネクタは、コネクタポートに取り付けられるように適合される。
【０００８】
いくつかの実施形態では、陰圧創傷療法装置の動作方法が開示される。方法は、陰圧源のコネクタポートに流体接続されているキャニスタまたは別個のキャニスタのない創傷被覆材に応答して、キャニスタまたは別個のキャニスタのない被覆材がコネクタポートに接続されているかどうかを判断することと、その判断に基づいて、陰圧源から陰圧の提供を調整することとを含む。方法は、コントローラの制御下で実施される。キャニスタまたは別個のキャニスタのない創傷被覆材がコネクタポートに接続されているかどうかを判断する方法は、コネクタポートに配置された少なくとも一つのスイッチの起動を検出することを含む。
【０００９】
上記の段落に記載の方法はさらに、以下の特徴のうちの一つまたは複数を含み得る。少なくとも一つのスイッチは、コネクタポートの凹部内に配置され得る。少なくとも一つのスイッチは、第一および第二のスイッチを含むことができ、少なくとも一つのスイッチの起動を検出することは、第一および第二のスイッチの起動を検出することを含み得る。少なくとも一つのスイッチは、複数のスイッチを含むことができ、複数のスイッチの起動を検出することは、複数のスイッチの少なくともいくつかの起動を検出することを含み得る。キャニスタがコネクタポートに接続されていると判断するステップは、キャニスタによって生成される磁場の変化を検知することを含み得る。方法はさらに、その判断に基づいて、装置の少なくとも一つの動作パラメータを提供するように構成されたユーザインターフェースを調整することを含み得る。
【００１０】
いくつかの実施形態では、陰圧創傷療法システムが開示される。システムは、ポンプアセンブリと、キャニスタと、コントローラとを含む。ポンプアセンブリは、コネクタポートと、ポンプアセンブリ上に配置されたスイッチを有する。キャニスタは、ポンプアセンブリに摺動可能に取り付けられ、創傷滲出物がキャニスタに入ることができる入口を有する。キャニスタは、キャニスタがポンプアセンブリに取り付けられると、コネクタポートと流体シールを形成するキャニスタコネクタを有する。スイッチは、キャニスタがポンプアセンブリに対して摺動すると、起動位置と非起動位置との間を移動する。コントローラは、スイッチが、起動位置または非起動位置のどちらにあるかを検出する。コントローラは、スイッチの位置の検出に基づいて、ポンプアセンブリの一つまたは複数の動作パラメータを調整する。
【００１１】
上記の段落に記載のシステムはさらに、以下の特徴のうちの一つまたは複数を含み得る。ポンプアセンブリは、スイッチが起動位置にあるとキャニスタ付き動作モードで動作することができ、スイッチが非起動位置にあるとキャニスタレス動作モードで動作できる。キャニスタがポンプアセンブリから摺動可能に取り外されると、スイッチが起動位置から非起動位置へ移動する前に、キャニスタコネクタとコネクタポートとの間の流体シールを破壊され得る。キャニスタがポンプアセンブリに取り付けられると、キャニスタコネクタとコネクタポートとの間に流体シールが形成される前に、スイッチが非起動位置から起動位置へ移動し得る。キャニスタコネクタは、コネクタポートの少なくとも一部分を受けるようにサイズ決めされた中央開口部を含み得る。ポンプアセンブリは、コネクタポートを円周方向に囲み、コネクタポートの長軸方向軸に沿って延在するハウジング部分を含み得る。ハウジング部分とコネクタポートとの間のギャップは、キャニスタコネクタがコネクタポートに取り付けられると、キャニスタコネクタの少なくとも一部分を受けるようサイズ決めされ得る。システムは、キャニスタコネクタの一部分の外面上に配置された密封要素をさらに含むことができる。密封要素は、キャニスタがポンプアセンブリに取り付けられると、キャニスタコネクタとハウジング部分との間にシールを形成することができる。スイッチは、ポンプアセンブリの凹部内に配置され得る。キャニスタはさらに、キャニスタがポンプアセンブリに取り付けられると、凹部内に摺動するフィンを含み得る。フィンは頂面を有することができ、スイッチは、スイッチが起動位置にあるときに頂面に沿って摺動できる。システムは、キャニスタコネクタがコネクタポートに流体接続されるとキャニスタコネクタによって起動され得る第二のスイッチをさらに含み得る。システムは、キャニスタレスコネクタがコネクタポートに流体接続されるとキャニスタレスコネクタによって起動され得る第三のスイッチをさらに含み得る。第三のスイッチは、キャニスタコネクタ  キャニスタコネクタがコネクタポートに流体接続されるとキャニスタコネクタによって起動され得、第二のスイッチは、キャニスタレスコネクタがコネクタポートに流体接続されると起動解除され得る。第二のスイッチは磁気センサを含むことができ、キャニスタは磁石を含むことができる。システムはさらに、コネクタポートがコネクタに流体接続されると光を発することができるＬＥＤリングを含み得る。ＬＥＤリングは、コネクタポートがキャニスタコネクタに流体接続されると第一の色の光を発することができ、コネクタポートがキャニスタレスコネクタに流体接続されると第二の色の光を発することができる。ポンプアセンブリの一つまたは複数の動作パラメータは、ポンプアセンブリによって生成される陰圧の大きさを含み得る。
【００１２】
いくつかの実施形態では、陰圧創傷療法システムが開示される。システムは、ポンプアセンブリと、キャニスタと、スイッチと、コントローラとを含む。ポンプアセンブリはコネクタポートを含む。キャニスタはポンプアセンブリと流体接続する。キャニスタは、創傷滲出物がキャニスタに入ることができる入口を有する。キャニスタは、コネクタポートと流体シールを形成するキャニスタコネクタを有する。スイッチはポンプアセンブリ上に配置され、キャニスタがポンプアセンブリと流体接続されているかどうかを検出する。コントローラは、スイッチ構成の検出に基づいて、ポンプアセンブリの一つまたは複数の動作パラメータを調整する。システムは、流体シールがキャニスタコネクタとコネクタポートの間に形成される前に、キャニスタをポンプアセンブリに流体接続することによって、第一の構成から第二の構成へスイッチの構成を変化させるように配置される。システムはさらに、流体シールがキャニスタコネクタとコネクタポートの間で破損した後に、キャニスタをポンプアセンブリから流体接続解除することによって、第二の構成から第一の構成へスイッチの構成を変化させるように配置される。
【００１３】
上記の段落に記載のシステムは、キャニスタをポンプアセンブリに摺動可能に接続することによって、スイッチが第一の構成から第二の構成へ変化する特徴をさらに含み得る。
【００１４】
いくつかの実施形態では、陰圧創傷療法システムが開示される。システムは、陰圧源を有するポンプアセンブリを含む。ポンプアセンブリは、ポンプアセンブリ上に配置されたキャニスタコネクタポートおよびキャニスタレスコネクタポートを含む。キャニスタコネクタポートは、第一の流路によって陰圧源に流体接続される。キャニスタレスコネクタポートは、第二の流路によって陰圧源に流体接続される。ポンプアセンブリは、ポンプアセンブリ内の検出器を含む。検出器は、キャニスタコネクタポートに流体取付けされたキャニスタコレクタと、キャニスタレスコネクタポートに流体取付けされたキャニスタレスコネクタのうちの少なくとも一つを検出する。
【００１５】
上記の段落に記載のシステムはさらに、以下の特徴のうちの一つまたは複数を含み得る。ポンプアセンブリは、検出器による検出に基づいて、ポンプアセンブリの一つまたは複数の動作パラメータを調節するコントローラをさらに含み得る。キャニスタがキャニスタコネクタポートに接続されると、キャニスタの一部分がキャニスタレスコネクタポートを塞ぐことができ、キャニスタレスコネクタがキャニスタレスコネクタポートに取り付けられないようにすることができる。キャニスタコネクタは、キャニスタレスコネクタポートを中心としたキャニスタコネクタの回転によって、キャニスタコネクタポートに流体取付けされ得る。キャニスタコネクタをキャニスタコネクタポートに流体的に取り付けることにより、第二の流路の少なくとも一部分を塞ぐことができる。第一の流路および第二の流路は、マニホールドを通過することができる。キャニスタコネクタポートは、キャニスタレスコネクタポートの形状とは異なる形状を有することができ、それによって、キャニスタレスコネクタがキャニスタコネクタポートに不注意に取り付けられないようにする。システムは、第一の位置と第二の位置との間で移動可能なカバーを含み得る。キャニスタコネクタポートは、カバーが第一の位置にあるとき、キャニスタコネクタに取り付けられないよう塞がれ得る。キャニスタコネクタポートは、カバーが第二の位置にあるとき、キャニスタコネクタに取り付けられないよう塞がれない。カバーは、キャニスタ上のプロングがポンプアセンブリ上のラッチと係合するとき、第一の位置から第二の位置へと移動することができる。カバーは、キャニスタコネクタポートおよびキャニスタレスコネクタポートの両方ではなく一つを塞ぐようサイズ決めされ得、カバーは第一の位置から第二の位置へと移動可能であり得、カバーが第一の位置にあるときはカバーがキャニスタのコネクタポートを塞ぎ、カバーが第二の位置にあるときはカバーがキャニスタレスコネクタポートを塞ぐ。カバーは、第一の位置と第二の位置との間を摺動し得る。カバーの少なくとも一部分は、キャニスタコネクタがキャニスタコネクタポートに取り付けられるように、ポンプアセンブリから遠ざかるように旋回できる。システムはさらに、カバーによって起動されるスイッチを含むことができ、検出器はスイッチがカバーによって起動されるかどうかを検出するように適合される。
【００１６】
いくつかの実施形態では、陰圧創傷療法システムが開示される。システムは、ポンプアセンブリと、コネクタポートと、検出器とを含む。ポンプアセンブリは、陰圧源と、圧力センサとを含む。コネクタポートはポンプアセンブリ上に配置される。検出器は、コネクタポートに配置され、またはコネクタポートの近くに配置され、電気回路への変化に基づいて、コネクタポートがキャニスタコネクタまたはキャニスタレスコネクタに流体的に取り付けられているかどうかを検出し、その変化はコネクタポートへのキャニスタコネクタまたはキャニスタレスコネクタの取付けによって引き起こされる。
【００１７】
上記の段落に記載のシステムはさらに、以下の特徴のうちの一つまたは複数を含み得る。電気回路は、キャニスタコネクタおよびキャニスタレスコネクタのうちの一方には配置されているが他方には配置されていない導体によって閉じることができ、電気回路は、キャニスタコネクタおよびキャニスタレスコネクタのうちの他方がコネクタポートに流体接続されているときは開いたままである。検出器は、コネクタポートに接続されたコネクタの特性を検出するセンサを含むことができ、コネクタの特性は、色、電気抵抗、および磁石の有無からなる群から選択される。
【００１８】
いくつかの実施形態では、陰圧創傷療法システムが開示される。システムは、ポンプアセンブリと、コネクタポートと、検出器とを含む。ポンプアセンブリは、陰圧源と、圧力センサとを含む。コネクタポートはポンプアセンブリ上に配置される。検出器は、陰圧源によって生成される圧力に応答するコネクタの変形に基づいて、コネクタポートに取り付けられたコネクタが、キャニスタコネクタまたはキャニスタレスネクタであるかどうかを検出する。
【００１９】
上記の段落に記載のシステムはさらに、以下の特徴のうちの一つまたは複数を含み得る。コネクタは、逆止め弁を含み得る。コネクタは、可撓性膜を有するキャニスタに流体接続され得る。コネクタは、機械的フラップを含み得る。
【００２０】
いくつかの実施形態では、陰圧創傷療法装置が開示される。装置は、陰圧源と、検出器と、コントローラとを含む。陰圧源は、流体流路を介して創傷被覆材に覆われた創傷に陰圧を提供する。検出器は、キャニスタが陰圧源と創傷の間の流体流路内に位置付けられているかどうかを検出する。コントローラは、検出器に結合され、キャニスタが流体流路内に位置付けられているという検出器からの第一の表示に基づいて、陰圧源を制御して、第一の動作モードに従って陰圧を創傷に提供し、陰圧によって提供される陰圧レベルは、第一の動作モードにおいてユーザによって調整可能である。キャニスタが流体流路内に位置付けられていないという検出器からの第二の表示に基づいて、コントローラは陰圧源を制御して、第一の動作モードとは異なる第二の動作モードに従って陰圧を創傷に提供し、陰圧によって提供される陰圧レベルは、第二の動作モードにおいてユーザによって調整可能である。
【００２１】
上記の段落に記載の装置はさらに、以下の特徴のうちの一つまたは複数を含み得る。装置は、流体流路内の圧力レベルを検出する圧力センサを含むことができる。コントローラは、圧力センサによって検出された圧力レベルに少なくとも部分的に基づいて、流体流路の閉塞または漏れの少なくとも一つを検出するようにさらに適合されることができ、検出は第一および第二の動作モードで異なって実施される。コントローラは、創傷への陰圧の提供を中断することなく、検出器からの第二の表示に応答して、第一の動作モードから第二の動作モードへ切り替わり、検出器からの第一の表示に応答して、第二の動作モードから第一の動作モードへ切り替わることができる。装置はさらに、陰圧源を囲むハウジングを含むことができ、ハウジングは凹部を有する。検出器は、凹部内に位置付けられた光学検出器を含むことができ、光学検出器は、光を放射する光源および放射光を検出する光検出器を含み得る。キャニスタは、キャニスタが流体流路内に位置付けられると、凹部内に少なくとも部分的に嵌合する突出部を含み得る。光学検出器は、光検出器によって、放射光のキャニスタの突出部による閉塞の検出に基づいて、キャニスタの有無を検出するように適合され得る。光学検出器は、放射光の部分的な閉塞に基づいてキャニスタの不適切な位置決めを、および、放射光の実質的に完全な閉塞に基づいてキャニスタの適切な位置決め検出するように適合され得る。キャニスタは、キャニスタの一つまたは複数の特性についての情報を提供するインジケータを含み得る。検出器は、インジケータを検出し、キャニスタの一つまたは複数の特性についての情報をコントローラに提供するように適合され得る。コントローラは、キャニスタの一つまたは複数の特性に基づいて、陰圧源を操作することができる。キャニスタは、ハウジングおよびハウジング内に埋め込まれた磁石を含むことができ、検出器は磁石の有無を検出できる磁場検出器を含み得る。磁石は球状とすることができる。検出器は、近接検出器、光学検出器、ＲＦＩＤ検出器、またはバーコード検出器のうちの少なくとも一つを含みうる。
【００２２】
いくつかの実施形態では、陰圧源を有する陰圧創傷療法装置の動作方法が開示される。方法は、キャニスタが、陰圧源を創傷被覆材に流体接続して、流体流路内に位置付けられているかどうかを検出することを含む。方法はさらに、キャニスタが流体流路内に位置付けられているという第一の表示に基づいて、第一の動作モードに従って陰圧源から陰圧を提供し、陰圧レベルを調整することを含む。方法はさらに、キャニスタが流体流路内に位置付けられていないという第二の表示に基づいて、第一の動作モードとは異なる第二の動作モードに従って陰圧源から陰圧を提供し、陰圧レベルの調整を防止することを含む。方法は、コントローラの制御下で実施される。
【００２３】
前述の段落に記載の方法はさらに、流体流路内の圧力レベルを監視することと、流体流路内の圧力レベルに少なくとも部分的に基づいて流体流路内の閉塞または漏れの少なくとも一つを検出することのうちの一つまたは複数の特徴を含むことができ、検出は第一および第二の動作モードで異なって実施される。方法はさらに、陰圧の提供を中断することなく、第二の動作モードから第二の動作モードへの切り替えを、第一の表示に応答して第二の動作モードに応答して第一の動作モードに切り替えることを含み得る。方法はさらに、陰圧の提供を中断することなく、第二の表示に応答して、第一の動作モードから第二の動作モードへ切り替え、第一の表示に応答して、第二の動作モードから第一の動作モードへ切り替えることを含み得る。方法はさらに、流体流路内のキャニスタの不適切な位置決めを検出することを含み得る。本方法は、近接検出、光学検出、ＲＦＩＤ検出、またはバーコード検出のうちの少なくとも一つに基づいて検出することによって、キャニスタが流体流路内にあるかどうかを検出することをさらに含み得る。
【００２４】
いくつかの実施形態では、陰圧創傷療法装置が開示される。装置は、ポンプアセンブリと、モードスイッチと、コントローラとを含む。ポンプアセンブリは、流体流路を介して創傷被覆材に覆われた創傷に陰圧を提供する。モードスイッチは、キャニスタがポンプアセンブリと創傷の間の流体流路内に位置付けられているかどうかを示す。コントローラはモードスイッチに結合される。コントローラは、モードスイッチの起動状態を検出し、モードスイッチが、ポンプアセンブリと創傷との間の流体流路内にキャニスタがあることを示す場合は、コントローラはキャニスタモードで動作し、モードスイッチが、ポンプアセンブリと創傷との間の流体流路内にキャニスタがあることを示さない場合は、コントローラはキャニスタレスモードで動作する。コントローラは、モードスイッチの起動状態に基づいて判断された動作パラメータに基づいて、ポンプアセンブリを起動させて初期ポンプ下降を開始するようにさらに適合される。コントローラは、モードスイッチの起動状態に基づいて、通過状態を評価するようにさらに適合される。コントローラは、通過条件が満たされると、ポンプアセンブリを操作して保守モードを開始するようにさらに適合される。コントローラはさらに、初期ポンプ下降の間、および、保守モードの開始前に、モードスイッチの起動状態において変化が検出された場合、ポンプアセンブリが停止され、ポンプアセンブリの電力サイクルが起こるまで再起動できないように適合される。
【００２５】
上記の段落に記載の装置はさらに、以下の特徴のうちの一つまたは複数を含み得る。コントローラは、ポンプアセンブリが保守モードを開始した後でモードスイッチを無効にすることができる。キャニスタレス動作モードでは、ポンプアセンブリが保守モードを開始した後、モードスイッチがポンプアセンブリの電力サイクルが起こるまでは有効にできないように、コントローラはモードスイッチを無効にできる。漏れが検出された場合、ポンプアセンブリの電力サイクルが起こるまではポンプアセンブリを再起動できないように、コントローラは漏れ警報を起動し、ポンプアセンブリを停止することができる。ポンプアセンブリが保守モードを開始した後、モードスイッチの起動状態に変化が検出された場合、コントローラは漏れ警報を起動することができる。ポンプアセンブリが保守モードを開始した後、モードスイッチの起動状態に変化が検出された場合、ポンプアセンブリの電力サイクルが起こるまでポンプアセンブリが再起動できないように、コントローラはポンプアセンブリを停止することができる。初期ポンプ下降の間、および、保守モードの開始前に、モードスイッチの起動状態に変化が検出された場合、コントローラは漏れ警報を起動することができる。初期ポンプ下降の間、および、保守モードの開始前に、モードスイッチの起動状態に変化が検出された場合、ポンプアセンブリの電力サイクルが起こるまでポンプアセンブリが再起動できないように、コントローラはポンプアセンブリを停止することができる。ポンプアセンブリは、電力サイクルを実施するためにユーザによって操作されるオン／オフスイッチを含み得る。ポンプアセンブリは、ポンプアセンブリを起動および停止するように、および／または、所望の陰圧設定を選択するように構成された一つまたは複数のボタンを含み得る。装置は、所望の陰圧設定が、キャニスタ動作モードでのみユーザによって選択可能にすることができる。
【００２６】
いくつかの実施形態では、陰圧創傷療法システムが開示される。システムは、ポンプアセンブリと、キャニスタと、ストラップアンカーとを含む。ポンプアセンブリはコネクタポートを含む。キャニスタは、内部容積を有し、ポンプアセンブリに摺動可能に接続されるように構成される。キャニスタは、キャニスタの内部容積に流路を提供するキャニスタコネクタを含む。ストラップアンカーは、ストラップを創傷治療システムに接続するように構成される。ストラップアンカーは、創傷療法システムがストラップアンカーに接続されたストラップから吊り下げられると、コネクタポートがキャニスタの内部容積の少なくとも８０％よりも優位であるように配置される。
【００２７】
上記の段落に記載のシステムはさらに、以下の特徴のうちの一つまたは複数を含み得る。キャニスタコネクタは、キャニスタコネクタの内側内腔にコネクタポートを受けて、ポンプアセンブリとキャニスタの内部容積との間の流路を確立する。ストラップアンカーはポンプアセンブリ上に配置される。コネクタポートがキャニスタポートに流体接続されると、ポンプはキャニスタの窪んだベッド上に着座する。陰圧創傷療法システムは、コネクタポートがキャニスタコネクタに流体接続されると、実質的に円盤形状の形態を有する。システムは停止フィルタを含む。停止フィルタは、コネクタポートとキャニスタコネクタとの間に配置される。キャニスタはさらに、コネクタポートがキャニスタコネクタに流体接続されると、ポンプ継ぎ目面と接触するキャニスタ継ぎ目面を備える。キャニスタ継ぎ目面は、水平部分および傾斜部分を有する。傾斜部分は、キャニスタ角度によって水平部分に対してポンプアセンブリに向かって傾斜している。コネクタポートは、キャニスタ継ぎ目面の傾斜部分内に配置される。キャニスタ角度は２７度〜３３度である。
【００２８】
いくつかの実施形態では、陰圧創傷療法システムが開示される。システムは、ポンプアセンブリと、キャニスタとを含む。ポンプアセンブリはコネクタポートを含む。キャニスタは内部容積を有し、コネクタポートおよびキャニスタコネクタが互いに流体結合されてポンプアセンブリとキャニスタの内部容積との間に流路を形成するように、ポンプアセンブリに摺動可能に接続されるように構成される。陰圧創傷療法システムは、実質的に円盤形状の形態を有する。キャニスタは、ポンプアセンブリに対して直径方向に対向する基部を有する。基部は、陰圧創傷療法システムの実質的に円盤形状の形態を切り詰める。創傷療法システムが基部によって支持されると、コネクタポートがキャニスタの内部容積の少なくとも８０％よりも優位であるように位置付けられる。
【００２９】
上記の段落に記載のシステムはさらに、以下の特徴のうちの一つまたは複数を含み得る。キャニスタコネクタは、キャニスタコネクタの内側内腔にコネクタポートを受けて、ポンプアセンブリとキャニスタの内部容積との間の流路を確立する。基部は、陰圧創傷治療システムのディスク形状を４５度〜９０度の基部角度によって特徴付けられるスパンによって切り捨てる。いくつかの実施形態では、基部角度は６３度〜７７度である。陰圧創傷療法システムはさらに、停止フィルタを含む。停止フィルタは、コネクタポートとキャニスタコネクタとの間に配置される。キャニスタはさらに、コネクタポートがキャニスタコネクタに流体接続されると、ポンプ継ぎ目面と接触するキャニスタ継ぎ目面を備える。キャニスタ継ぎ目面は、水平部分および傾斜部分を有する。傾斜部分は、キャニスタ角度によって水平部分に対してポンプアセンブリに向かって傾斜している。コネクタポートは、キャニスタ継ぎ目面の傾斜部分内に配置される。キャニスタ角度は２７度〜３３度である。
【００３０】
いくつかの実施形態では、陰圧装置が開示される。装置は、ポンプアセンブリ、キャニスタ、およびフィルタを含む。ポンプアセンブリは、ストラップを接続するための取付け部材を含む。取付け部材は、ポンプアセンブリの第一の側面に位置付けられる。キャニスタは、ポンプアセンブリに摺動可能に接続されるように構成される。キャニスタは、平坦な底面と、ポンプアセンブリの底面と摺動可能に係合するように構成された頂面とを備える。キャニスタの頂面は、キャニスタが停止部に達するまでポンプアセンブリの第一の側面から、第一の側面の反対側のポンプアセンブリの第二の側面に向かってキャニスタを相対的に摺動させることによって、ポンプアセンブリの底面と摺動可能に係合するように構成される。ポンプアセンブリおよびキャニスタが接続された後、キャニスタは、ポンプアセンブリの第一の側面と整列した第一の側面と、ポンプアセンブリの第二の側面と整列した第二の側面とを有する。キャニスタの頂面は、ポンプアセンブリの第二の側面から、ポンプアセンブリの第一の側面に向かってキャニスタを相対的に摺動させることによって、ポンプアセンブリの底面から摺動可能に係合解除するように構成される。フィルタは、キャニスタ内の、キャニスタの頂面またはその近く、および、キャニスタの第一の側面またはその近くに位置付けられるため、ポンプアセンブリおよびキャニスタが共に接続されると、ポンプアセンブリおよびキャニスタがストラップから吊られるか、または、キャニスタの平坦な底面が支持面上に位置付けられる場合、フィルタは、重力方向に対してキャニスタの上位端部またはその近くに配置される。
【００３１】
上記の段落に記載の装置はさらに、以下の特徴のうちの一つまたは複数を含み得る。キャニスタの頂面は、傾斜部分および水平部分を有する。水平部分は、キャニスタの底面と実質的に平行である。傾斜部分は、キャニスタ角度によって水平部分に対して傾斜している。キャニスタ角度は２７度〜３３度である。ポンプアセンブリは、ポンプアセンブリの底面に対向する頂面を備える。底面は、傾斜部分および基部部分を含む。傾斜部分は、基部部分に対して頂面に向かって角度付けられる。傾斜部分は、基部部分に対して頂面に向かって、２７度〜３３度の間の角度で角度付けられる。ポンプアセンブリは、ポンプアセンブリの底面の傾斜部分に配置されたコネクタポートを備える。キャニスタは、キャニスタの頂面の傾斜部分に配置されたキャニスタコネクタを有する。キャニスタがポンプアセンブリに接続され、ポンプアセンブリが取付け部材から吊り下げられると、キャニスタの頂面は、ポンプアセンブリの底面の傾斜部分によって支持される傾斜部分を有する。
【００３２】
いくつかの実施形態では、陰圧創傷療法装置が開示される。装置は、陰圧源と、コネクタポートとを含む。陰圧源は、流体流路を介して創傷に陰圧を提供するように構成される。コネクタポートは、陰圧源の入口と流体連通している。コネクタポートは、創傷から吸引される流体を保存するように構成されたキャニスタに、または、コネクタポートと創傷被覆材との間にキャニスタ無しで創傷被覆材に流体接続されるように構成される。コネクタポートは、第二の密封面から離間した第一の密封面を含む。第一の密封面は、キャニスタのキャニスタコネクタと流体シールを形成するように適合される。第二の密封面は、創傷被覆材のキャニスタレスコネクタと流体シールを形成するように適合される。
【００３３】
上記の段落に記載の装置はさらに、以下の特徴のうちの一つまたは複数を含み得る。第一の密封面は、第二の密封面の半径方向外向きに配置される。第二の密封面は、ルアーロック嵌合部を含む。第二の密封面は、キャニスタレスコネクタの内面と締まり嵌めを形成するように適合された先細りしたシャフトを含む。第一の密封面は、キャニスタコネクタの開口部の内側に嵌合するようにサイズ決めされた基部部分を含む。第二の密封面は、第一の密封面がキャニスタコネクタと流体シールを形成すると、キャニスタコネクタによって円周方向に囲まれる。第一の密封面は、第二の密封面がキャニスタレスコネクタと流体シールを形成すると、ポンプアセンブリの覆われていない外面を残す。第一の密封面はＯリングを含む。第二の密封は、Ｍｏｒｓｅテーパを有するテーパ状面を含む。
【００３４】
以下に開示されるポンプの実施形態のいずれも、および、陰圧創傷療法の実施形態のいずれも含むがこれらに限定しないものとし、本出願に開示された配置または実施形態のいずれかの特徴、構成要素、または詳細のいずれも、新しい配置および実施形態を形成するよう本明細書に開示された配置または実施形態のいずれかのその他の特徴、構成要素、または詳細のいずれとも相互に組み合わせ可能である。
【図面の簡単な説明】
【００３５】
本開示の実施形態は、単に例示として、添付図面を参照して、ここで以下に記載される。
【００３６】
【図１】図１は、いくつかの実施形態による、ポンプアセンブリを含む減圧創傷療法システムを示す。
【図２】図２Ａは、キャニスタレス動作モードで動作する減圧創傷療法システムを示す。図２Ｂは、キャニスタ動作モードで動作する減圧創傷療法システムを示す。
【図３Ａ】図３Ａは、いくつかの実施形態による、ポンプアセンブリを含む減圧創傷療法システムの略図を示す。
【図３Ｂ】図３Ｂは、いくつかの実施形態による、ポンプアセンブリを含む減圧創傷療法システムの略図を示す。
【図４Ａ】図４Ａは、キャニスタがポンプアセンブリに取り付けられたＴＮＰシステムの実施形態の正面および右側を示す正面斜視図である。
【図４Ｂ】図４Ｂは、キャニスタがポンプアセンブリから取り外された図４ＡのＴＮＰシステムの正面および右側を示す正面斜視図である。
【図４Ｃ】図４Ｃは、キャニスタがポンプアセンブリに取り外された図４ＡのＴＮＰシステムの実施形態の正面および左側を示す正面斜視図である。
【図４Ｄ】図４Ｄは、キャニスタがポンプアセンブリに取り付けられた図４ＣのＴＮＰシステムの正面および左側を示す正面斜視図である。
【図４Ｅ】図４Ｅは、示された窓がポンプアセンブリから取り除かれた図４ＤのＴＮＰシステムの正面および左側を示す斜視図である。
【図４Ｆ】図４Ｆは、図４ＡのＴＮＰシステムの左側面図である。
【図４Ｇ】図４Ｇは、図４ＡのＴＮＰシステムの右側面図である。
【図４Ｈ】図４Ｈは、図４ＡのＴＮＰシステムの正面図である。
【図４Ｉ】図４Ｉは、図４ＡのＴＮＰシステムの背面図である。
【図４Ｊ】図４Ｊは、図４ＡのＴＮＰシステムの頂面図である。
【図４Ｋ】図４Ｋは、図４ＡのＴＮＰシステムの底面図である。
【図５】図５は、図４Ａのキャニスタの頂面斜視図である。
【図６】図６は、図４Ａのポンプアセンブリの底面斜視図である。
【図７Ａ】図７Ａは、図４ＡのＴＮＰシステムの断面側面図である。
【図７Ｂ】図７Ｂは、スイッチがキャニスタに接触する前の図７Ａのスイッチの拡大図である。
【図７Ｃ】図７Ｃは、スイッチがキャニスタによって上向きに押された後の図７Ａのスイッチの拡大図である。
【図８Ａ】図８Ａは、キャニスタとポンプアセンブリとの間の接続部を示すＴＮＰシステムの実施形態の断面側面図である。
【図８Ｂ】図８Ｂは、キャニスタがポンプアセンブリに取り付けられた図８Ａの実施形態の断面側面図である。
【図８Ｃ】図８Ｃは、図８Ａのポンプアセンブリに取り付けられたキャニスタレスコネクタの断面側面図である。
【図９】図９Ａは、キャニスタがポンプアセンブリに取り付けられると、円盤形状を有するＴＮＰシステムの実施形態を示す。図９Ｂは、図９ＡのＴＮＰシステムの後方斜視図である。図９Ｃは、図９ＡのＴＮＰシステムの正面斜視図である。
【図１０】図１０は、キャニスタがポンプアセンブリに取り付けられると、円盤形状を有するＴＮＰシステムの実施形態の正面斜視図を示す。
【図１１】図１１は、キャニスタがポンプアセンブリに取り付けられると、円盤形状を有するＴＮＰシステムの実施形態の正面斜視図を示す。
【図１２】図１２Ａは、ねじれ作用によってポンプアセンブリに取り付けられたキャニスタを有するＴＮＰシステムの実施形態を示す。図１２Ｂは、キャニスタおよびポンプアセンブリを接続および接続解除するねじれ作用を示す、図１２ＡのＴＮＰシステムの頂面図である。
【図１３Ａ】図１３Ａは、回転可能なコネクタポートを含むポンプアセンブリを有するＴＮＰシステムの実施形態を示す。
【図１３Ｂ】図１３Ｂは、回転可能なコネクタポートを含むポンプアセンブリを有するＴＮＰシステムの実施形態を示す。
【図１３Ｃ】図１３Ｃは、回転可能なコネクタポートを含むポンプアセンブリを有するＴＮＰシステムの実施形態を示す。
【図１３Ｄ】図１３Ｄは、回転可能なコネクタポートを含むポンプアセンブリを有するＴＮＰシステムの実施形態を示す。
【図１３Ｅ】図１３Ｅは、回転可能なコネクタポートを含むポンプアセンブリを有するＴＮＰシステムの実施形態を示す。
【図１３Ｆ】図１３Ｆは、ポンプアセンブリに取り付けられたキャニスタを有するＴＮＰシステムの実施形態を示す。
【図１３Ｇ】図１３Ｇは、キャニスタがポンプアセンブリから取り外された図１３ＦのＴＮＰシステムを示す。
【図１３Ｈ】図１３Ｈは、図１３Ｇのポンプアセンブリのキャニスタに面する面を示す。
【図１３Ｉ】図１３Ｉは、図１３Ｇのキャニスタのキャニスタに面する面を示す。
【図１３Ｊ】図１３Ｊは、キャニスタの別の実施形態のポンプに面する面を示す。
【図１３Ｋ】図１３Ｋは、ポンプアセンブリの別の実施形態のキャニスタに面する面を示す。
【図１３Ｌ】図１３Ｌは、ポンプアセンブリの内部構成要素が見えるように、ポンプハウジングを透明にした、図１３Ｆのポンプアセンブリを示す。
【図１３Ｍ】図１３Ｍは、ＴＮＰシステムのポンプアセンブリのための光ガイドの実施形態の正面図を示す。
【図１３Ｎ】図１３Ｎは、図１３Ｌのポンプアセンブリのポンプハウジングに取り付けられた光ガイドを示す。
【図１３Ｏ】図１３Ｏは、光ガイドが取り除かれた図１３Ｎのポンプハウジングを示す。
【図１３Ｐ】図１３Ｐは、ポンプアセンブリの内部構成要素が見えるようにポンプハウジングが取り外された、図１３Ｌのポンプアセンブリを示す。
【図１３Ｑ】図１３Ｑは、図１３Ｐのポンプアセンブリのマニホールドを示す。
【図１３Ｒ】図１３Ｒは、図１３Ｑのマニホールドの部分端面図を示す。
【図１３Ｓ】図１３Ｓは、マニホールドの内部構成要素が見えるように、マニホールドハウジングを透明にした図１３Ｒのマニホールドを示す。
【図１４】図１４は、キャニスタコネクタまたはキャニスタレスコネクタを受けることができるポンプアセンブリの実施形態を図示する。
【図１５】図１５は、コネクタスイッチの起動を検出できる電気回路を図示する。
【図１６Ａ】図１６Ａは、コネクタポートがキャニスタコネクタまたはキャニスタレスコネクタに接続されているかどうかを検出するよう適合されたコネクタスイッチの様々な実装を図示する。
【図１６Ｂ】図１６Ｂは、コネクタポートがキャニスタコネクタまたはキャニスタレスコネクタに接続されているかどうかを検出するよう適合されたコネクタスイッチの様々な実装を図示する。
【図１６Ｃ】図１６Ｃは、コネクタポートがキャニスタコネクタまたはキャニスタレスコネクタに接続されているかどうかを検出するよう適合されたコネクタスイッチの様々な実装を図示する。
【図１６Ｄ】図１６Ｄは、コネクタポートがキャニスタコネクタまたはキャニスタレスコネクタに接続されているかどうかを検出するよう適合されたコネクタスイッチの様々な実装を図示する。
【図１６Ｅ】図１６Ｅは、コネクタポートがキャニスタコネクタまたはキャニスタレスコネクタに接続されているかどうかを検出するよう適合されたコネクタスイッチの様々な実装を図示する。
【図１７】図１７は、汚れや液体からコネクタスイッチを保護できる膜シールを図示する。
【図１８】図１８は、コネクタスイッチが汚れや液体によって汚染されることから保護できる膜シールの他の構成を図示する。
【図１９】図１９は、電気スイッチを含むコネクタスイッチの実施形態を図示する。
【図２０】図２０は、機械的スイッチを含むコネクタスイッチ実施形態を図示する。
【図２１】図２１は、複数のコネクタスイッチを含むコネクタスイッチ実施形態を図示する。
【図２２】図２２は、密封接続が行われた時に発光するＬＥＤインジケータリングを含むコネクタスイッチ実施形態を図示する。
【図２３】図２３は、センサを含むコネクタスイッチ実施形態を図示する。
【図２４】図２４は、磁気センサを含むコネクタスイッチ実施形態を図示する。
【図２５】図２５は、ＲＦＩＤリーダを含むコネクタスイッチの実施形態を図示する。
【図２６】図２６は、取り付けられたコネクタの抵抗特性を検出するコネクタスイッチ実施形態を図示する。
【図２７】図２７は、二つのコネクタポートを有するＴＮＰシステムを図示する。
【図２８】図２８は、コネクタを通る流路を変化させることができるコネクタを有するＴＮＰシステムを図示する。
【図２９】図２９は、ポンプアセンブリの背面に取り付けられたキャニスタを有するＴＮＰシステムを図示する。
【図３０】図３０は、機械的に音響接続がポンプアセンブリとキャニスタとの間に作られない限り、キャニスタが取り付けられないようにするＴＮＰシステムを図示する。
【図３１】図３１は、二つのコネクタポートを有するＴＮＰシステムを図示する。
【図３２】図３２は、圧力設定ダイヤルを有するＴＮＰシステムを図示する。
【図３３】図３３は、二つの形状が異なるコネクタポートを有するＴＮＰシステムを図示する。
【図３４】図３４は、キャニスタコネクタまたはキャニスタレスコネクタがポンプアセンブリに接続されているかどうかについて信号を送信する電池カバーを有するＴＮＰシステムを図示する。
【図３５】図３５は、ポンプアセンブリ上に取り付けられた二つのコネクタポートを有するＴＮＰシステムを図示する。
【図３６】図３６は、マニホールドに接続された二つのコネクタポートを有するＴＮＰシステムを図示する。
【図３７】図３７は、二つのコネクタポートと、コネクタポートの一方または他方を覆うスライドカバーとを有するＴＮＰシステムを図示する。
【図３８】図３８は、ＴＮＰシステムのユーザインターフェースの実施形態を図示する。
【図３９】図３９は、ＴＮＰシステムのコントロールボタンの実施形態を図示する。
【図４０】図４０は、ＴＮＰシステムの圧力設定スイッチの実施形態を図示する。
【図４１】図４１は、ポンプアセンブリがキャニスタに接続されると円盤様形状を有するＴＮＰシステムの実施形態を図示する。
【図４２】図４２は、ポンプアセンブリがキャニスタに接続されると円盤様形状を有するＴＮＰシステムの別の実施形態を図示する。
【図４３】図４３は、キャニスタコネクタを有するＴＮＰシステムの実施形態を図示したものであり、これはキャニスタレスコネクタのボアサイズよりも大きいボアサイズを有する。
【図４４】図４４は、可撓性膜を有するキャニスタを有するＴＮＰシステムの実施形態を図示する。
【図４５】図４５は、可撓性ベローズを有するＴＮＰシステムの実施形態を図示する。
【図４６】図４６は、逆止め弁を含むコネクタの実施形態を図示する。
【図４７】図４７は、機械的フラップを含むコネクタの実施形態を図示する。
【図４８】図４８は、二重内腔管を含むコネクタの実施形態を図示する。
【図４９】図４９は、いくつかの実施形態によるＴＮＰシステムの動作状態図を図示する。
【図５０】図５０は、いくつかの実施形態によるＴＮＰシステムの動作プロセスを図示する。
【図５１】図５１Ａ〜図５１Ｃは、いくつかの実施形態による光学検出を図示する。
【図５２】図５２は、いくつかの実施形態によるロジックパスセットを図示する。
【発明を実施するための形態】
【００３７】
概要
本明細書に開示された実施形態は、減圧により創傷を治療するシステムおよび方法に関する。本明細書に使用する通り、−ＸｍｍＨｇなど、減圧または陰圧レベルは、７６０ｍｍＨｇ（または１ａｔｍ、２９．９３ｉｎＨｇ、１０１．３２５ｋＰａ、１４．６９６ｐｓｉなど）に相当し得る、平常の周囲気圧に対する圧力レベルを表す。したがって、陰圧値−ＸｍｍＨｇは、例えば、７６０ｍｍＨｇをＸｍｍＨｇ下回る、すなわち言い換えると、絶対圧力（７６０−Ｘ）ｍｍＨｇという絶対圧力を反映する。さらに、ＸｍｍＨｇよりも「低い」または「小さい」陰圧は、大気圧により近い圧力に相当する（例えば、−４０ｍｍＨｇは−６０ｍｍＨｇよりも低くなる）。−ＸｍｍＨｇよりも「高い」または「大きい」陰圧は、大気圧からより遠い圧力に相当する（例えば、−８０ｍｍＨｇは−６０ｍｍＨｇよりも高くなる）。一部の実施形態では、局所的な周囲気圧は基準点として使用され、そのような局所的な気圧は、必ずしも、例えば、７６０ｍｍＨｇでなくてもよい。
【００３８】
本開示の実施形態は、概して、局所陰圧（ＴＮＰ）または減圧療法システムで使用するように適用可能である。手短に言えば、陰圧創傷療法は、組織の浮腫を減少させ、血流および顆粒組織形成を促し、または、過度の滲出液を除去することによって、「治癒が困難な」創傷の多くの形態を閉鎖および治癒するのを支援し、細菌負荷（および、それゆえ感染リスク）を低減することができる。加えて、治療によって、創傷の不安を減らすことが可能になり、より早期の治癒に導く。ＴＮＰシステムはまた、流体を除去することによって、外科的に閉じられた創傷の治癒を支援することができる。一部の実施形態では、ＴＮＰ療法は、閉鎖の反対位置の組織を安定化するのに役立つ。ＴＮＰ治療のさらなる有益な使用は、過剰な流体を除去することが重要であり、組織の生存度を確保するために移植片が組織に近接していることが求められる、移植片及びフラップにおいて見出すことができる。
【００３９】
陰圧システム
図１は、創傷くぼみ１１０の内部に配置された創傷フィルタ１３０を備え、創傷くぼみ１１０が創傷カバー１２０によって封止された陰圧または減圧創傷治療（またはＴＮＰ）システム１００の実施形態を示す。いくつかの実施形態では、創傷フィルタ１３０、創傷カバー１２０、または接触層（図示せず）などのその他任意の構成要素のうちの一つまたは複数が、創傷被覆材を構成する。システム１００は、創傷に減圧を提供するように構成された陰圧創傷療法装置またはポンプアセンブリ１５０を含む。例えば、少なくとも一つの内腔を有する導管１４０は、ポンプアセンブリ１５０と創傷との間の流体流路を提供することができる。導管１４０は、ポンプアセンブリ１５０と流体接続されたポンプ端１４２と、創傷カバー１２０の下またはそれを通して挿入された創傷端１４４とを有することができる。導管１４０は、ポンプ端１４２で陰圧を創傷端１４４に伝達できる。
【００４０】
図２Ａおよび図２Ｂは、減圧創傷療法システムがキャニスタあり、および、キャニスタなしで動作する（例えば、キャニスタおよびキャニスタレスモード）ように構成され得ることを示す。図２Ａは、ポンプアセンブリ１５０に直接接続された創傷被覆材１８０を有するＴＮＰシステム１００の実施形態（例えば、キャニスタレスモード）を示す。図２Ｂは、創傷被覆材１８０とポンプアセンブリ１５０との間に介在するキャニスタ１６０を有するＴＮＰシステム１００の実施形態（例えば、キャニスタモード）を示す。創傷が治癒過程の初期段階にあり、かなりの量の滲出物が滲出する、創傷への陰圧創傷療法の適用開始時には、減圧創傷療法システムはキャニスタありで動作し得る。この動作モードでは、陰圧創傷療法システムは、Ｓｍｉｔｈ  ＆  Ｎｅｐｈｅｗが販売するフォームまたはガーゼＲＥＮＡＳＹＳ（商標）被覆材またはその他任意の好適な被覆材と共に動作しうる。この動作モードでは、陰圧治療システムは発泡体またはガーゼのＲＥＮＡＳＹＳで動作し得る。キャニスタありの減圧創傷療法システムの動作は、本明細書では、「ＲＥＮＡＳＹＳ（商標）」、「ＲＥＮＡＳＹＳ（商標）モード」、またはその誘導体と称される場合がある。創傷が治癒過程を通して回復し、より少量の滲出物を滲出し始めるにつれ、キャニスタが取り除かれてもよく、陰圧創傷療法システムは、被覆材内に創傷滲出物を保持する、Ｓｍｉｔｈ  ＆  Ｎｅｐｈｅｗが販売するＰＩＣＯ（商標）被覆材またはその他任意の好適な被覆材といった、吸収性被覆材と共に動作してもよい。ＰＩＣＯ（商標）被覆材などの吸収性被覆材のさらなる詳細は、２０１１年４月２１日に出願の米国特許第９，０６１，０９５号に見受けられ、その全体が参照により本明細書に組み込まれる。キャニスタなしの減圧創傷療法システムの動作は、本明細書では、「ＰＩＣＯ（商標）」、「ＰＩＣＯ（商標）モード」、またはその誘導体と称される場合がある。
【００４１】
ポンプアセンブリ
図３Ａは、いくつかの実施形態によるポンプアセンブリ１５０の概略図を示す。ポンプアセンブリ１５０は、ポンプアセンブリ１５０の少なくともいくつかの構成要素を囲むまたは支持するハウジング２００を含み得る。ポンプアセンブリ１５０は、一つまたは複数のスイッチまたはボタン２０２と、一つまたは複数のインジケータ２０４と、制御ボード２０６とを含み得る。一つまたは複数のボタン２０２および一つまたは複数のインジケータ２０４（ユーザインターフェースを集合的に構成する）は、一つまたは複数のコントローラおよびメモリを含むことができる制御ボード２０６と電気通信することができる。一つまたは複数のボタン２０２は、ポンプアセンブリ１５０の動作を制御するための任意の好適な目的に使用できる。例えば、一つまたは複数のボタン２０２は、ポンプシステム１５０を起動し、ポンプアセンブリ１５０を一時停止させ、一つまたは複数の表示２０４のうちの一つまたは複数といった、システムインジケータを消去するのに使用され得る。一つまたは複数のボタン２０２は、タッチパッド、タッチスクリーン、キーボードなどの任意のタイプのスイッチまたはボタンであってもよい。いくつかの実施形態では、一つまたは複数のボタン２０２はプレスボタンであり得る。様々な実装では、一つまたは複数のボタン２０２は、タッチスクリーンインターフェース上に含めることができる。
【００４２】
ポンプアセンブリ１５０は、コネクタ２０１を受けるように適合されたコネクタポート２０３を含み得る。コネクタ２０１は、上述の通り、ポンプアセンブリ１５０に取り付けられたキャニスタまたは創傷被覆材の一部であり得る。コネクタ２０１は、コネクタポート２０３に取り外し可能に取り付けられ得る。いくつかの配置では、第一のコネクタ２０１はポンプアセンブリ１５０から取り外され、次にポンプアセンブリ１５０に取り付けられる第二のコネクタ２０１と交換され得る。例えば、ＲＥＮＡＳＹＳ（商標）被覆材に接続される第一のコネクタ２０１は、コネクタポート２０３から取り外され、ＰＩＣＯ（商標）被覆材に接続される第二のコネクタ２０１と交換され得、それによって、ポンプアセンブリ１５０をキャニスタ動作モードからキャニスタレス動作モードに切り替えることを可能にする。以下でより詳細に説明するように、コネクタ２０１および／またはポンプアセンブリ１５０は、ポンプアセンブリ１５０がキャニスタまたはキャニスタレスコネクタ２０１がコネクタポート２０３に取り付けられているかどうかを検出できるように適合され得る。いくつかの配置では、ポンプアセンブリ１５０の動作は、ポンプアセンブリ１５０がキャニスタを検出するかどうか、または、キャニスタレスコネクタ２０１がコネクタポート２０３に接続されているかどうかに応じて調節され得る。
【００４３】
いくつかの実施形態では、コネクタポート２０３は、一つまたは複数のコントローラを含むことができる制御ボード２０６と電気通信する一つまたは複数のコネクタスイッチを含み得る。一つまたは複数のコネクタスイッチは、キャニスタの一つまたは複数のコネクタまたは被覆材と係合するように構成され得る。いくつかの実施形態では、一つまたは複数のコネクタスイッチは、有利なことに、ポンプアセンブリ１５０（例えば、制御ボード２０６）がキャニスタ接続と被覆材接続とを区別することを可能にする。いくつかの実施形態では、コネクタ２０１の一つまたは複数が、コネクタポート２０３の一つまたは複数のコネクタスイッチに加えて、または代わりに、一つまたは複数のコネクタスイッチを含み得る。本明細書で意図されるコネクタスイッチは、機械的、電気、光学的、および／または磁気、または任意の他の好適なスイッチであってもよく、センサ等を含んでもよい。コネクタスイッチは、電気回路を閉じるかまたは開くように構成されてもよく、それによって、制御ボード２０６は、コネクタスイッチが係合または係合解除されているかどうかを検出できるようになる。例えば、以下でより詳細に説明するように、コネクタポート２０３は、キャニスタをコネクタポート２０３に結合するコネクタ２０１の一部分によって作動するコネクタスイッチを含み得る。コネクタスイッチは、スイッチが被覆材をコネクタポート２０３に結合するコネクタ２０１によって作動されないようにさらに構成されてもよく、それによって、制御ボード２０６は、キャニスタまたは被覆材がコネクタポート２０３に取り付けられているかどうかを検出することを可能にする。いくつかの配置では、ポンプアセンブリ１５０は、コネクタスイッチが被覆材をコネクタポート２０３に結合するコネクタ２０１によって起動され、キャニスタをコネクタポート２０３に結合するコネクタ２０１によっては起動されないように構成され得る。
【００４４】
続いて図３Ａを参照して、一つまたは複数のインジケータ２０４は、ポンプアセンブリ１５０の一つまたは複数の動作状態または故障状態を示し得る。一つまたは複数のインジケータ２０４はそれぞれ、異なる動作状態または故障状態に関する表示を提供できる。いくつかの実装では、一つまたは複数のインジケータ２０４のアクティブ（例えば、点灯）インジケータは、ポンプアセンブリ１５０の特定の動作状態を表し得る。例えば、一つまたは複数のインジケータ２０４の被覆材インジケータは、ＴＮＰシステム１００の漏れの有無について表示を提供でき、アクティブ被覆材インジケータは漏れを表すことができる。別の例として、一つまたは複数のインジケータ２０４の被覆材容量インジケータは、創傷被覆材またはキャニスタの流体残容量についての表示を提供でき、アクティブ被覆材容量インジケータは、創傷被覆材またはキャニスタが容量に到達しているか、または近いことを表すことができる。さらに別の例として、一つまたは複数のインジケータ２０４の電池インジケータは、電池等の電源の残量または寿命に関する表示を提供することができ、またアクティブ電池インジケータは低容量を表すことができる。いくつかの実施形態では、一つまたは複数のインジケータ２０４は、ポンプアセンブリ１５０の上記の動作状態または故障状態またはポンプアセンブリ１５０のその他の動作状態または故障状態の一つまたは複数の組み合わせを表すことができる。
【００４５】
いくつかの実装では、一つまたは複数のインジケータ２０４はアイコンであってもよい。例えば、一つまたは複数のインジケータ２０４は、ポンプアセンブリ１５０のＬＥＤ（図示せず）などの照射源を介して起動する（例えば、点灯）ことができる。一つまたは複数のインジケータ２０４は、例えば、異なる色、二つの異なる色（例えば、二つのインジケータが同じ色を共有できる）、または同一色であってもよい。いくつかの実施形態では、ポンプアセンブリ１５０は、ユーザにさまざまな動作状態を信号で知らせるように構成される、視覚、聴覚、触覚、およびその他のタイプのインジケータまたは警報を含み得る。こうした状態には、システムオン／オフ、スタンバイ、一時停止、通常動作、被覆材の問題、漏れ、エラーなどが含まれる。インジケータには、スピーカ、ディスプレイ、光源など、またはその組み合わせが含まれてもよい。様々な実装では、一つまたは複数のボタンインジケーター２０４をタッチスクリーンインターフェース上に含めることができる。
【００４６】
ポンプアセンブリ１５０は、電池電源またはその他任意の好適な電源などの電源２０８によって電力供給され得る。ポンプアセンブリ１５０はまた、電動機などのアクチュエータ２１４によって電力供給されるポンプ２１２を含み得る、陰圧源２１０を含み得る。いくつかの実施形態では、アクチュエータ２１４はポンプ２１２に組み込まれる。陰圧源２１０は、ロータリーダイヤフラムポンプまたは他のダイヤフラムポンプ、圧電ポンプ、蠕動ポンプ、ピストンポンプ、ロータリーベーンポンプ、液封式ポンプ、スクロールポンプ、圧電変換器によって動作するダイヤフラムポンプ、ボイスコイルアクチュエータによって動作するポンプ、または他の任意の好適なポンプもしくはマイクロポンプ、あるいは上記のものの任意の組み合わせであってもよく、ポンプアセンブリ１５０はまた、流体流路の圧力を計測する一つまたは複数の圧力センサ２１６を含み得る。
【００４７】
ポンプアセンブリ１５０は、ポンプアセンブリ１５０を創傷被覆材に接続する入口２１８をさらに含み得る。例えば、入口２１８は、流体流路を介して創傷被覆材と流体連通するコネクタポート２０３およびコネクタ２０１に接続され得る。
【００４８】
ポンプアセンブリ１５０はまた、出口２２０を含み得る。出口２２０は、気体を大気に通気または排気することができる。いくつかの実施形態では、フィルタ（図示せず）は、出口２２０と大気との間に介在し得る。フィルタは、気体を大気に通気する前に、気体を濾過することができる。フィルタは、細菌フィルタ、臭気フィルタ、またはその任意の組み合わせであってもよい。いくつかの実施形態では、雑音減衰構成要素などの減衰構成要素（図示せず）は、出口２２０と大気との間に介在し得る。減衰構成要素は、動作中にポンプアセンブリ１５０によって生成される騒音を低減することができる。いくつかの実装では、ポンプアセンブリ１５０は、陰圧療法の提供に関連する情報などの情報を一つまたは複数の遠隔装置に伝達できる。こうした通信は、有線または無線インターフェースを使用して実施することができる。
【００４９】
図３Ｂは、キャニスタ１６０が入口２１８と創傷被覆材との間の流体流路内に追加で位置付けられた、図３Ａのポンプアセンブリ１５０を示す。図示した実施形態では、コネクタ２０１はキャニスタ１６０をコネクタポート２０３に流体接続する。以下でさらに考察するように、コネクタ２０１は、コネクタポート２０３が創傷被覆材に直接接続されているかどうか、または、キャニスタ１６０がコネクタ２０３と創傷被覆材の間に配置されているかどうかについて、ポンプアセンブリ１５０に信号を送るように構成され得る。
【００５０】
いくつかの実施形態では、制御ボード２０６（例えば、コントローラ）は、ポンプアセンブリがキャニスタまたは被覆材に接続されているかどうかに応じて、陰圧創傷療法の一つまたは複数の動作パラメータを調節する。例えば、キャニスタレスモードでは、創傷に与えられる陰圧のレベルは、創傷がより少量の流体を滲出しているため、キャニスタモードと比較して低減され得る。別の例として、一つまたは複数の動作状態の検出を有効、無効、または調整することができる。例えば、キャニスタレスモードでは、キャニスタのフル検出（または閉塞検出）および警報を無効にすることができ、代わりに被覆材のフル検出および警報を有効にすることができる。
【００５１】
いくつかの実施形態では、ポンプアセンブリ１５０は、一つまたは複数のディスプレイ、インジケータ、ライト、ボタン、スイッチ、スピーカ、振動要素等といった、ユーザインターフェースを含む。ユーザインターフェースは、キャニスタの検出に基づいて調節することができる。例えば、キャニスタモードでは、ユーザインターフェースは、キャニスタが満杯になるとユーザに警告するインジケータを含み得る。キャニスタレスモードでは、このインジケータは、被覆材が満杯になるとユーザに警告するインジケータで置き換えることができる。いくつかの実施形態では、インジケータはアイコンである。
【００５２】
図４Ａは、キャニスタ１６０Ａがポンプアセンブリ１５０Ａに取り付けられたＴＮＰシステム１００Ａの実施形態を斜視図で示す。キャニスタ１６０Ａは、創傷滲出物がキャニスタ１６０Ａに入ることができる入口１６１Ａを有することができる。図４Ａに示すように、ＴＮＰシステム１００は、ポンプアセンブリ１５０Ａがキャニスタ１６０Ａに取り付けられ、システムを左または右側から見るとき、円盤形状または少なくとも部分的に円形形状を有し得る。考察を簡単にするために、少なくとも部分的に円形形状を有するＴＮＰシステム１００Ａの対向面または側面はそれぞれ、面１０２Ａと称するものとする。二つの対向面１０２Ａを接続するＴＮＰシステム１００Ａの面は、縁１０４Ａと称するものとする。図４Ａでは、入口１６１Ａは、キャニスタ１６０Ａの縁１０４Ａから突出する。考察を簡単にするために、入口１６１Ａが突出する縁１０４Ａの部分は、ＴＮＰシステム１００Ａの前面と称するものとする。したがって、図４Ａは、ＴＮＰシステム１００Ａの部分正面図および右図を示す。しかし、ＴＮＰシステム１００Ａの視点からは、ＴＮＰシステム１００Ａを右から見たときにはＴＮＰシステムの左面１１５Ａが見える。ＴＮＰシステム１００Ａの右面１１４Ａは、図４Ａでは見ることができない。図４Ａに示すように、ポンプアセンブリ１５０Ａは、オン／オフスイッチ１４８を含み得る。図示した実施形態では、オン／オフスイッチ１４８は、縁１０４Ａの凹部部分１４７内に配置される。具体的には、オン／オフスイッチ１４８は、ポンプアセンブリ１５０Ａの前方且つポンプアセンブリ１５０Ａの左面１１４Ａに向かって配置される。
【００５３】
続いて図４Ａを参照すると、キャニスタ１６０Ａの縁１０４Ａは、キャニスタ１６０Ａの前方と後方との間に延在する平坦な底面または基部１０６Ａを有することができる。基部１０６Ａは、平坦または直線面を形成し得る。基部１０６Ａは、図４Ａに示す通り、オン／オフスイッチ１４８が入口１６１の垂直方向上方にあるように、ＴＮＰシステム１００を配向するよう促すことができる以下でより詳細に論じるように、ＴＮＰシステム１００は、ＴＮＰシステムが基部１０６Ａ上で支持されるとき、ポンプアセンブリ１５０Ａの湿潤構成要素からからの、キャニスタ１６０Ａ内の液体（例えば、創傷滲出物）を最小化または阻止するよう適合され得る。
【００５４】
ＴＮＰシステム１００Ａは、ポンプアセンブリ１５０Ａとキャニスタ１６０Ａとの間のインターフェースに継ぎ目１０８Ａを有することができる。ＴＮＰシステム１００Ａを説明した上述の参照システムによると、シーム１０８Ａは、キャニスタ１６０Ａの頂面とポンプアセンブリ１５０Ａの底面との間のインターフェースにある。図４Ａに示すように、継ぎ目１０８Ａの一部分は、基部１０６Ａと実質的に平行に延びてもよい。例示された実施形態では、継ぎ目１０８ＡがＴＮＰシステム１００Ａの後方からＴＮＰシステム１００Ａの前方に向かう方向において入口１６１Ａに近づくにつれ、継ぎ目１０８ＡはＴＮＰシステム１００Ａの上部に向かって上昇する。継ぎ目１０８Ａの量は、図４Ａに示すように、円弧長さ１１０Ａによって画定され得る基部１０６Ａに平行な継ぎ目１０８Ａの一部分に対して上昇する。円弧長さ１１０Ａが、図４Ａに示す通り、キャニスタ角度１１２Ａを乗じた面１０２Ａの半径に等しくなるように、円弧長さ１１０Ａに応答するキャニスタ角度１１２Ａが画定され得る。図示した実施形態では、キャニスタ角度１１２Ａは約３０度である。いくつかの実施形態では、キャニスタ角度１１２Ａは、１０度、２０度、４０度、６０度、またはこれらの前述の値のいずれかの間の値の角度であってよい。以下でより詳細に論じるように、キャニスタ角度１１２Ａは、キャニスタ１６０Ａ内の液体（例えば、創傷滲出物）がポンプアセンブリ１５０Ａの構成要素を濡らさないように、または、その液体を最小限にするよう、選択され得る。
【００５５】
図４Ｂは、図４ＡのＴＮＰシステム１００Ａの分解図を示し、ポンプアセンブリ１５０Ａは摺動してポンプアセンブリ１５０Ａをキャニスタ１６０Ａから係合解除する。図４Ｂに示すように、ポンプアセンブリ１５０Ａのコネクタポート２０３Ａは、キャニスタ１６０Ａがポンプアセンブリ１５０Ａから係合解除されるときに露出され得る。コネクタポート２０３Ａは、以下で説明する相違点以外は、コネクタポート２０３と類似している。コネクタポート２０３Ａの特徴は、コネクタポート２０３または本明細書で考察した任意の他の実施形態と組み合わせることも、または含めることもできる。図４Ｂに示すように、ポンプアセンブリ１５０Ａは、ストラップ（図示せず）がポンプアセンブリ１５０Ａに取り付けられるようにする取付け部材またはストラップアンカー１５７を含み得る。例示された実施形態では、取付け部材１５７は、溝１４９にかかるバー１５９であり、それによってストラップがバー１５９の周りを通過し、それ自体に固定されて、ストラップをポンプアセンブリ１５０Ａに取り付けることができる。いくつかの実施形態では、ストラップは、バー１５９に固定されたフックまたは留め金を含み得る。以下でより詳細に論じるように、取付け部材１５７は、ＴＮＰシステム１００Ａが取付け部材１５７に接続されたストラップから吊り下げられると、ポンプアセンブリ１５０Ａの湿潤構成要素からの、キャニスタ１６０Ａ内の液体（例えば、創傷滲出物）を阻止または最小化するよう適合され得る。いくつかの実施形態では、取付け部材１５７は、ＴＮＰシステム１００Ａが取付け部材１５７から吊り下げられると、コネクタポート２０３Ａがキャニスタ１６０Ａの内部容積の頂部近くに位置付けられるように配置される。図示した実施形態では、取付け部材１５７は、ポンプアセンブリ１５０Ａの頂面と底面との間のインターフェース近くに位置付けられる。
【００５６】
図４Ｂに示すように、ポンプアセンブリ１５０Ａの底面およびキャニスタ１６０Ａの頂面は、ポンプアセンブリ１５０Ａおよびキャニスタ１６０Ａが互いに摺動可能に接続できるように構成され得る。図示した実施形態では、キャニスタ１６０Ａおよびポンプアセンブリ１５０Ａは、キャニスタ１６０Ａを、ポンプアセンブリ１５０Ａに対して、ポンプアセンブリ１５０Ａの前側からポンプアセンブリ１５０Ａの後側の方向に摺動させることによって互いに接続される。ＴＮＰシステム１００Ａは、キャニスタ１６０Ａをポンプ１５０Ａに固定する停止またはロック用部材（図示せず）を含むことができる。キャニスタ１６０Ａは、キャニスタ１６０Ａが停止部に達するまでキャニスタ１６０Ａをポンプアセンブリ１５０Ａの後側に摺動することによって、ポンプアセンブリ１５０Ａに固定され得る。図４Ａに示すように、ポンプアセンブリ１５０Ａおよびキャニスタ１６０Ａが一緒に固定されると、ポンプアセンブリ１５０Ａの前側はキャニスタ１６０Ａの前側と整列し、ポンプアセンブリ１５０Ａの後側はキャニスタ１６０Ａの後側と整列することができる。キャニスタ１６０Ａおよびポンプアセンブリ１５０Ａは、キャニスタ１６０Ａをポンプアセンブリ１５０Ａに対して、ポンプアセンブリ１５０Ａの後側からポンプアセンブリ１５０Ａの前側の方向に摺動させることによって互いから係合解除され得る。
【００５７】
引き続き図４Ｂを参照すると、コネクタポート２０３Ａは、ポンプアセンブリ１５０Ａの底面上に配置される。ＴＮＰシステム１００Ａは、コネクタポート２０３Ａがキャニスタ１６０Ａの頂部の近くに位置付けられるように配置される。いくつかの構成では、コネクタポート２０３Ａは、キャニスタ１６０Ａの内部容積の残りの８０％より垂直方向に上、または優位である、キャニスタ１６０Ａの容積に接続する。いくつかの実施形態では、コネクタポート２０３Ａが接続するキャニスタ容積は、キャニスタ１６０Ａの内部容積の残りの６０％〜９５％の間より優位である。いくつかの実施形態ではであるが、コネクタポート２０３Ａは、ＴＮＰシステム１００Ａが取付け部材１５７に接続されたストラップから吊り下げられると、キャニスタ１６０Ａの内部容積の残りの８０％より優位であるキャニスタ１６０Ａの容積に接続される。いくつかの実施形態では、コネクタポート２０３Ａが接続するキャニスタ容積は、ＴＮＰシステム１００Ａが取付け部材１５７から吊り下げられると、キャニスタ１６０Ａの内部容積の残りの６０％〜９５％の間より優位である。いくつかの実施形態では、コネクタポート２０３Ａは、ＴＮＰシステム１００が基部１０６Ａ上で支持されると、キャニスタ１６０Ａの内部容積の残りの８０％より優位であるキャニスタ１６０Ａの容積に接続する。いくつかの実施形態では、コネクタポート２０３Ａが接続するキャニスタ容積は、ＴＮＰシステム１００Ａが基部１０６Ａに支持されると、キャニスタ１６０Ａの内部容積の残りの６０％〜９５％の間より優位である。
【００５８】
図４Ｂは、ＴＮＰシステム１００Ａがキャニスタ１６０Ａのポンプアセンブリ１５０Ａへの固定を向上させるように配置され得ることを図示する。例示した実施形態では、キャニスタ１６０Ａの頂面およびポンプアセンブリ１５０Ａの底面は、ポンプアセンブリ１５０Ａが取付け部材１５７から吊り下げられると、重力がキャニスタ１６０Ａをポンプアセンブリ１５０Ａ上に保持する傾向があるように、形状付けられる。図４Ｂに示すように、キャニスタ１６０Ａの頂面は、キャニスタ１６０Ａの前方に向かって上向きに傾斜する傾斜部分を有することができる。ポンプアセンブリ１５０Ａの底面は、ポンプアセンブリ１５０Ａの前面に向かって上向きに傾斜した傾斜部分を有することができる。キャニスタ１６０Ａの傾斜部分およびポンプアセンブリ１５０Ａの傾斜部分は、キャニスタ１６０Ａがポンプアセンブリ１５０Ａに取付けられると、傾斜部分が傾斜部分と同一平面になるようにサイズ決めされ得る。ポンプアセンブリ１５０Ａが取付け部材１５７から吊り下げられると、キャニスタ１６０Ａは、キャニスタ１６０Ａを重力の方向に摺動させて、すなわち、ポンプアセンブリ１５０Ａの前方からポンプアセンブリ１５０Ａの後方へと摺動することによって、ポンプハウジング１５０Ａに取り付けられる。キャニスタ１６０Ａおよびポンプアセンブリ１５０Ａが接続されると、キャニスタ１６０Ａの頂面の傾斜部分は、ポンプアセンブリ１５０Ａの底面の傾斜部分上に支持され、それによって、ポンプアセンブリ１５０Ａが取付け部材１５７から吊り下げられると、ポンプアセンブリ１５０Ａ上のキャニスタ１６０Ａの保持を強化する。
【００５９】
図４Ｃは、図４Ｂに示すＴＮＰシステム１００Ａの部分左正面斜視図であり、ＴＮＰシステム１００Ａは、ＴＮＰシステム１００Ａの右面１１４Ａが見えるように配向されている。図４Ｃに示すように、コネクタポート２０３Ａは、ポンプアセンブリ１５０Ａがキャニスタ１６０Ａに接続されると、キャニスタコネクタ２６０Ａと整列し、かつそれに受けられ得る。図示した実施形態では、ＴＮＰシステム１００Ａは、ポンプアセンブリ１５０Ａ上に配置された取付け部材１５７を有する。特定の配置では、取付け部材１５７は、キャニスタ１６０Ａ上に配置され得る。例えば、取付け部材１５７は、継ぎ目１０８Ａの近くおよび入口１６１Ａとキャニスタコネクタ２６０Ａとの間のキャニスタ１６０Ａ上に配置され得る。
【００６０】
ＴＮＰシステム１００は、コネクタポート２０３Ａとキャニスタコネクタ２６０Ａとの間に介在される一つまたは複数のフィルタ（図示せず）を含み得る。フィルタは、気体がキャニスタ１６０Ａからポンプアセンブリ１５０Ａへ通過する前に、気体の濾過を提供することができる。フィルタは、細菌フィルタ、臭気フィルタ、またはその任意の組み合わせであってもよい。いくつかの実施形態では、フィルタは、液体がフィルタを通過してポンプアセンブリ１５０Ａに到達することを防止する停止フィルタを含み得る。例えば、停止フィルタは、液体と接触したときに膨潤する材料の多孔性メッシュとすることができる。停止フィルタが乾燥すると、多孔性メッシュは、気体（例えば、空気）が停止フィルタの孔を通過して、ポンプアセンブリ１５０Ａに到達するのを可能にし、それによってポンプアセンブリ１５０Ａがキャニスタ１６０Ａから気体を引き出し、キャニスタ１６０Ａ内に陰圧を確立することを可能にする「非膨潤」状態にある。液体が停止フィルタに接触すると、停止フィルタ材料は停止フィルタの孔を塞ぎ、それによってポンプアセンブリ１５０Ａが停止フィルタを通して液体を吸い込むことを防止する。このように、停止フィルタは、ポンプアセンブリ１５０Ａを液体（例えば、創傷滲出物）に接触させることから保護できる。取付け部材１５７の位置は、ＴＮＰシステム１００Ａが取付け部材１５７に取付けられたストラップから吊り下げられると、キャニスタ１６０Ａの頂部近くに停止フィルタを配向する。キャニスタ１６０Ａは、ＴＮＰシステム１００Ａが基部１０６Ａ上で支持されると、キャニスタ１６０Ａの頂部近くに停止フィルタを配向するように構成される。
【００６１】
ポンプアセンブリ１５０Ａは、ポンプアセンブリ１５０Ａの左側に一つまたは複数のインジケータを含み得る。例えば、ポンプアセンブリ１５０Ａは、警報インジケータ１１６Ａを含むことができる。警報インジケータ１１６Ａは、ポンプアセンブリ１５０Ａの動作モードの信号を送るように適合され得る。例えば、警報インジケータ１１６Ａは、赤色に点灯するか点滅して、ポンプアセンブリ１５０Ａの動作の誤動作を示し得る。ポンプアセンブリ１５０Ａが正しく機能しているとき、警報インジケータ１１６Ａは緑色に点灯するか、または継続的に発光できる。図示した実施形態では、警報インジケータ１１６は、ポンプアセンブリ１５０Ａの右面１１４Ａの凹部部分上に配置される。警報インジケータ１１６Ａは、ポンプアセンブリ１５０Ａの右面１１４Ａ以外の位置において、ＴＮＰシステム１００Ａ上に配置され得る。
【００６２】
ポンプアセンブリ１５０Ａは、看板１２２Ａによって覆われる一つまたは複数のインジケータを含み得る。看板１２２Ａは、ポンプアセンブリ１５０Ａの面１０２Ａおよび縁部１０４Ａの一部分上に延在することができる。図示した実施形態では、看板１２２Ａは、ポンプアセンブリ１５０Ａの頂部と右側との間のインターフェースを包む。看板１２２Ａは透明または部分的に不透明であり得る。いくつかの変形では、看板１２２Ａは、インジケータが点灯すると、看板１２２Ａの内面上に印付けられたアイコンが看板１２２Ａを通して見えるように、部分的に不透明である。インジケータが点灯していないと、窓１２２Ａの内面上に印付けられたアイコンを見ることができないように、看板１２２Ａの外観は、ポンプアセンブリ１５０Ａの周囲部分の外観と実質的に一致するように選択できる。看板１２２Ａは、ポンプアセンブリ１５０Ａから可逆的に取り外し可能であってもよい。いくつかの構成では、看板１２２Ａは、ポンプアセンブリ１５０Ａに融合されており、看板１２２Ａを破壊することなくポンプアセンブリ１５０Ａから取り外すことはできない。少なくとも一つの実施形態では、看板１２２Ａおよびポンプアセンブリ１５０Ａが一緒に固定され、看板１２２Ａとポンプアセンブリ１５０Ａとの間の移行が見えないように配置され、ポンプアセンブリ１５０Ａをきれいで必要最低限の外観にする。
【００６３】
図４Ｄは、ポンプアセンブリ１５０Ａがキャニスタ１６０Ａに接続された、図４Ｃに示すＴＮＰシステム１００Ａを斜視図で示す。図４Ｄに示すように、取付け部材１５７は、ＴＮＰシステム１００Ａの縁部１０４Ａ上に配置され、入口１６１Ａとポンプアセンブリ１５０Ａとの間にある継ぎ目１０８Ａの部分に隣接する。図示した実施形態では、取付け部材１５７は、ＴＮＰシステム１００Ａの左側および右側から実質的に等距離であるポンプアセンブリ１５０Ａの中間面に沿って位置する。取付け部材１５７は、ＴＮＰシステム１００Ａが取り付け部材１５７に接続されたストラップから吊り下げられると、入口１６１およびコネクタポート２０３ＡがＴＮＰシステム１００Ａの頂部の近くに位置付けられ、それによって、キャニスタ１６０Ａ内の液体がコネクタポート２０３Ａおよびポンプアセンブリ１５０Ａの湿潤構成要素を通過する能力を最小化または低減させるように適合され得る。
【００６４】
図４Ｄに示すように、ＴＮＰシステム１００Ａがキャニスタ１６０Ａの基部１０６Ａ上で支持されると、コネクタポート２０３Ａ（図４Ｃには図示なし）は、キャニスタ１６０Ａの頂部近く、および、ＴＮＰシステム１００Ａの頂部に向かって上昇するキャニスタ１６０Ａの部分内となる。このようにして、コネクタポート２０３Ａは、キャニスタ１６０Ａ内の液体に接触することから保護される。ＴＮＰシステム１００Ａの頂部に向かって上昇するキャニスタ１６０Ａの部分と整列するようにコネクタポート２０３Ａを位置決めすることにより、キャニスタ１６０Ａ内の液体のレベルがコネクタポート２０３Ａのレベルに達する前に、キャニスタ１６０Ａの量を最大化させる。
【００６５】
図４Ｅは、図４Ｃに示すＴＮＰシステム１００Ａを示しており、看板１２２Ａが取り外されて、ポンプアセンブリ１５０Ａが複数のゲート１２４Ａを含み、直接光が看板１２２Ａを通過するのを助けることができることを示す。ゲート１２４Ａは、ポンプアセンブリ１５０Ａの複数のインジケータのそれぞれを選択的に照らすのに役立ち得る。上述のように、看板１２２Ａは、看板１２２Ａの内面上にマーク付けされた一つまたは複数のアイコンを含み得る。アイコンは、看板１２２Ａを通して光る光源（例えば、ＬＥＤ）によって後ろから照らすことができる。ＴＮＰシステム１００Ａは、光源のそれぞれがゲート１２４Ａ内に個別に配置されている複数の光源（図示せず）を含み得る。看板１２２Ａ上のアイコンは、光源がアイコンを通って光る場合、はっきりを見ることができるが、アイコンが、アイコンを通って光る光源によって照らされない場合は、見えない、または最小限しか見ることができない。ゲート１２４Ａは、複数の光源のうちの第一の光源が、複数の光源のうちの第二の光源を重なってアイコンを二重照射することを最小化するよう、個々の光源の光を方向付けすることができる。
【００６６】
図４Ｆは、ポンプアセンブリ１５０Ａがキャニスタ１６０Ａに接続された、図４Ｃに示すＴＮＰシステム１００Ａの右面１１４Ａを正面図で示す。図４Ｆに示すように、ＴＮＰシステム１００Ａは、右面１１４Ａの正面図から見た場合、実質的に円形の形態を有することができる。ＴＮＰシステム１００Ａは、図４Ｆに示すように、全体径１２６Ａを有することができる。実質的に円形の形態は、上述のように、キャニスタ１６０Ａの基部１０６Ａに沿って切断され得る。基部１０６Ａのスパンは、図４Ｆに示す通り、基礎角１２８Ａによって特徴付けられ得る。基礎角１２８Ａは、キャニスタ１６０Ａの大容量を維持しながら、ＴＮＰシステム１００Ａに良好な安定性を提供するように選択され得る。図示した実施形態では、基礎角１２８Ａは約７０度である。いくつかの実施形態では、基礎角１２８Ａは、４５度、６０度、９０度、１２０度、またはこれらの前述の値のいずれかの間の値の角度であってよい。
【００６７】
図４Ｇは、図４Ｆに示すＴＮＰシステム１００Ａの左面１１５Ａを正面図で示す。図４Ｇに示すように、ポンプアセンブリ１５０Ａは、キャニスタ１６０Ａに対してポンプアセンブリ１５０Ａを摺動させるユーザの能力を促進させるグリップ１２３Ａを含み得る。上述のように、ポンプアセンブリ１５０Ａおよびキャニスタ１６０Ａは、ポンプアセンブリ１５０Ａおよびキャニスタ１６０Ａを互いに係合または係合解除するために、互いに対して摺動する。図示した実施形態では、グリップ１２３Ａは、ポンプアセンブリ１５０Ａの窪んだ部分である。グリップ１２３Ａは、ユーザがポンプアセンブリ１５０Ａをより確実に保持することを可能にするために、ユーザの手の少なくとも一部分（例えば、手のひらまたは指）を収容するようサイズ決めされ得る。グリップ１２３Ａは、ポンプアセンブリ１５０Ａがキャニスタ１６０Ａと接続または接続解除されるときに、ポンプアセンブリ１５０Ａを保持するユーザの能力を高めることができる。図示した実施形態では、ポンプアセンブリ１５０Ａがキャニスタ１６０Ａに接続されると、グリップ１２３Ａはキャニスタ１６０Ａの基部１０６Ａから直径方向に向かい合う。
【００６８】
引き続き図４Ｇを参照すると、ＴＮＰシステム１００Ａは、ロック手段１２５Ａが係合解放される前に、ポンプアセンブリ１５０Ａがキャニスタ１６０Ａに対して摺動することを防止する一つまたは複数のロック手段１２５Ａも含み得る。ロック手段１２５Ａは、継ぎ目１０８Ａに沿って摺動して、キャニスタ１６０Ａ上に配置された対応するスロットとインターロックするか、または係合解除する、ポンプアセンブリ１５０Ａ上のタブであってもよい。配向は逆にすることができる。例えば、ロック手段１２５Ａは、キャニスタ１６０Ａ上に配置されたスライド式タブであってもよく、対応するスロットはポンプアセンブリ１５０Ａ上に配置されてもよい。いくつかの配置では、ロック手段は、ボタンが押されると、ポンプアセンブリ１５０Ａおよびキャニスタ１６０Ａの内部インターロックを分割するボタンであってよい。図示した実施形態では、ポンプアセンブリ１５０Ａおよびキャニスタ１６０Ａの各々がロック手段１２５Ａを含む。いくつかの配置では、ポンプアセンブリ１５０Ａおよびキャニスタ１６０Ａのうちの一つのみが、ロック手段１２５Ａを含む。いくつかの配置では、ＴＮＰシステム１００Ａはロック手段１２５Ａを含まない。
【００６９】
図４Ｈは、図４Ｆに示すＴＮＰシステム１００Ａの縁部１０４Ａを正面図で示す。図４Ｆは、入口１６１Ａが突出する縁部１０４Ａの部分を示す。図４Ｆに示すように、看板１２２Ａは、ＴＮＰシステム１００Ａの縁部１０４Ａから右面１１４Ａまで包み込むことができる。ＴＮＰシステム１００Ａは、図４Ｈに示すように、右面１１４Ａと左面１１５Ａとの間の最大範囲を画定する全幅１４１Ａを有することができる。右面１１４Ａは、図４Ｈに示す通り、右側幅１４３Ａによって縁部１０４Ａから横方向に膨らませることができる。左面１１５Ａは、左側幅１４５Ａによって縁部１０４Ａから横方向に膨らませることができる。全体幅１４１Ａは、図４Ｈに示す通り、右側幅１４３Ａと、左側幅１４５Ａと、縁部幅１３９Ａとの合計とすることができる。
【００７０】
ＴＮＰシステム１００Ａは、全体径１２６Ａ対全体幅１４１Ａの比として画定される全体縦横比によって特徴付けられ得る。図示した実施形態では、ＴＮＰシステムは約１．５の全体縦横比を有する。いくつかの実施形態では、ＴＮＰシステム１００Ａは、以下の全体縦横比を有し得る。１．０、１．２、１．４、１．６、１．８、２．０、３．０、またはこれらの前述の値のいずれかの間の値である。ＴＮＰシステム１００Ａは、右側幅１４３Ａ対全体幅１４１Ａの比として画定される右側膨張比によって特徴付けられ得る。図示した実施形態では、ＴＮＰシステムは約０．２７の右側膨張比を有する。いくつかの実施形態では、ＴＮＰシステム１００Ａは、以下の右側膨張比を有し得る。０．１０、０．１５、０．２０、０．２５、０．３０、０．３５、０．４０、０．６０、またはこれらの前述の値のいずれかの間の値である。ＴＮＰシステム１００Ａは、左側幅１４５Ａ対全体幅１４１Ａの比として画定される左側膨張比によって特徴付けられ得る。図示した実施形態では、ＴＮＰシステムは約０．１４の左側膨張比を有する。いくつかの実施形態では、ＴＮＰシステム１００Ａは、以下の左側膨張比を有し得る。０．０５、０．１０、０．１５、０．２０、０．３０、０．４０、またはこれらの前述の値のいずれかの間の値である。
【００７１】
図４Ｉは、図４Ｈに示すＴＮＰシステム１００Ａの後方側面を正面図で示す。図４Ｉは、入口１６１Ａから離れる方向に面する縁部１０４Ａの部分を示す。図４Ｉは、キャニスタ１６０Ａが、キャニスタ１６０Ａの二つの対向する側壁１６４Ａの間に配置された窪んだベッド１６２Ａを有し得ることを示す。以下でより詳細に説明するように、ポンプアセンブリ１５０Ａの中間部分１０５Ａは、ポンプアセンブリ１５０Ａがキャニスタ１６０Ａに接続されると、窪んだベッド１６２Ａ上に着座することができる。ＴＮＰシステム１００Ａは、中間部分１０５Ａ対全体幅１４１Ａの幅の比として画定されるレール比によって特徴付けられ得る。図示した実施形態では、ＴＮＰシステムは約０．４７のレール比を有する。いくつかの実施形態では、ＴＮＰシステム１００Ａは、以下のレール比を有し得る。０．２０、０．３０、０．４０、０．４５、０．５０、０．６０、０．８０、またはこれらの前述の値のいずれかの間の値である。
【００７２】
図４Ｊは、図４Ｈに示すＴＮＰシステム１００Ａを頂面図で示す。グリップ１２３Ａは、左面１１５Ａの頂部の近くに位置付けられる。上述の通り、看板１２２Ａは、縁部１０４Ａから右面１１４Ａまで延在する。ストラップアンカー１５７Ａは、ＴＮＰシステム１００の中間平面近く、および、入口１６１Ａの近傍に配置される。
【００７３】
図４Ｋは、図４Ｊに示すＴＮＰシステム１００Ａを底面図で示す。基部１０６Ａは、図４Ｋに示す通り、実質的に長方形の形態を有し、左面に向かって、かつ、右面に向かってわずかに膨張する。基部１０６Ａは、基部１０６ＡがＴＮＰシステム１００Ａの右面１１４Ａと左面１１５Ａとの間に延在する距離を画定する基礎幅１７１Ａを有し得る。基部１０６Ａは、基部１０６Ａが基礎幅１７１Ａに垂直に延在する距離を画定する基礎長１７３Ａを有し得る。ＴＮＰシステム１００Ａは、基礎幅１７１Ａ対全体幅１４１Ａの比として画定される基礎幅比によって特徴付けられ得る。図示した実施形態では、ＴＮＰシステムは約０．７６の基礎幅比を有する。いくつかの実施形態では、ＴＮＰシステム１００Ａは、以下の基礎幅比を有し得る。０．４０、０．６０、０．７０、０．８０、０．９０、またはこれらの前述の値のいずれかの間の値である。ＴＮＰシステム１００Ａは、基礎長１７３対全体経１２６Ａの比として画定される基礎長比によって特徴付けられ得る。図示した実施形態では、ＴＮＰシステムは約０．５６の基礎長比を有する。いくつかの実施形態では、ＴＮＰシステム１００Ａは、以下の基礎長比を有し得る。０．２０、０．４０、０．５０、０．６０、０．８０、またはこれらの前述の値のいずれかの間の値である。
【００７４】
図５は、図４Ａに示すキャニスタ１６０Ａの頂面斜視図である。図６は、図４Ａに示すポンプアセンブリ１５０Ａの底部斜視図である。図５を参照すると、キャニスタ１６０Ａは、ポンプアセンブリ１５０Ａのコネクタポート２０３Ａと接続するように適合されたキャニスタコネクタ２６０Ａを含み得る。図示した実施形態では、キャニスタコネクタ２６０Ａは、キャニスタ１６０Ａのハウジング１６３Ａと一体型である。いくつかの配置では、キャニスタコネクタ２６０Ａは、チューブの長さなどの中間構造によってキャニスタハウジング１６３に取り付けられ得る。キャニスタ１６０Ａは、陰圧がキャニスタコネクタ２６０Ａに加えられると、創傷滲出物が入口１６１Ａを通してキャニスタ１６０Ａ内に引き込まれるように配置され得る。
【００７５】
キャニスタ１６０Ａは、キャニスタ１６０Ａをポンプアセンブリ１５０Ａに固定するのを助ける一つまたは複数の特徴を含み得る。例えば、キャニスタ１６０Ａは、図５に示すように、二つの対向する側壁１６４Ａの間に介在する窪んだベッド１６２Ａを有することができる。一つまたは複数の固定タブ１６６Ａは、側壁１６４Ａの一方または両方から延在することができる。固定タブ１６６Ａは、ポンプアセンブリ１５０Ａ上の対応するスロット１５２Ａ（図６に示す）に受けられるように適合され得る。スロット１５２Ａは、タブ１６６Ａが第一の方向にスロット１５２Ａに挿入されることを可能にし、次に第一の方向に実質的に垂直な第二の方向に摺動して、タブ１６６Ａをオーバーハング１５４Ａと整列させる（図６に示す）ために、「Ｌ」形状であり得る。オーバーハング１５４Ａは、タブ１６６Ａが第一の方向にスロット１５２Ａから抜け出るのを防止することができる。固定タブ１６６Ａは、ロック用クリップ１６８Ａを含み得る。ロック用クリップ１６８Ａは、キャニスタ１６０Ａが、ロック用クリップ１６８Ａが最初に係合解除されることなく、ポンプアセンブリ１５０Ａから係合解除されないように適合され得る。タブおよびスロットの配向は逆であってよい。例えば、特定の配置では、ポンプアセンブリ１５０Ａは、キャニスタ１６０Ａ上に配置されたスロットとインターロックする固定タブを有することができる。
【００７６】
引き続き図５を参照すると、キャニスタ１６０Ａは、キャニスタ１６０Ａのベッド１６２Ａから延在するフィン１７０Ａを含み得る。フィン１７０Ａは、キャニスタ１６０Ａがポンプアセンブリ１５０Ａに取り付けられると、フィン１７０Ａがポンプアセンブリ１５０Ａ上に配置された凹部１５６Ａ（図６に示す）内に受けられるように配置され得る。凹部１５６Ａは、フィン１７０Ａが凹部１５６Ａ内に受けられると起動するスイッチ１５８Ａ（図７Ｂに示す）を含み得る。このように、スイッチ１５８Ａは、ポンプアセンブリ１５０Ａがキャニスタ１６０Ａに接続されると、フィン１７０Ａによって起動することができる。
【００７７】
図７Ａは、図４Ａに示すＴＮＰシステム１００Ａの断面側面図である。図７Ｂおよび図７Ｃは、ポンプアセンブリ１５０Ａの凹部１５６Ａ内に配置されるスイッチ１５８Ａの拡大図を示す。スイッチ１５８Ａは、スイッチの第一の状態（例えば、起動していない）に対応する第一の位置と、スイッチの第二の状態（例えば、起動している）に対応する第二の位置とを有することができる。ポンプアセンブリ１５０Ａ（例えば、制御ボード２０６）は、スイッチ１５８Ａの構成を検出し、スイッチ１５８Ａの検出された構成に基づいて、ポンプアセンブリ１５０Ａの一つまたは複数の動作パラメータを調整できる。いくつかの配置では、キャニスタ１６０Ａは、キャニスタ１６０Ａがポンプアセンブリ１５０Ａに接続されるとスイッチ１５８Ａを停止させる。いくつかの配置では、キャニスタ１６０Ａは、キャニスタ１６０Ａがポンプアセンブリ１５０Ａに接続されるとスイッチ１５８Ａを起動させる。特定の配置では、スイッチ１５８Ａは起動されていない状態を有さず、むしろ、スイッチ１５８Ａがポンプアセンブリ１５０Ａに取り付けられたキャニスタ１６０Ａの一部に接触するかどうかに基づいて、キャニスタの位置からキャニスタレスの位置へと切り替わる。図７Ｂは、スイッチ１５８Ａが凹部１５６Ａ内に延在する非起動位置にあるスイッチ１５８Ａを示す。図７Ｃは、フィン１７０Ａが凹部１５６Ａ内に摺動するにつれ、フィン１７０Ａがスイッチ１５８Ａを非起動位置から起動位置へと移動できることを示す。図示した実施形態では、スイッチ１５８Ａは、スイッチ１５８Ａが非起動位置から起動位置まで移動するにつれて、ポンプアセンブリ１５０Ａに向かって移動する。制御ボード２０６Ａは、スイッチ１５８Ａが、起動位置または非起動位置のどちらにあるかを検出するように構成され得る。例えば、非起動位置から起動位置へのスイッチ１５８Ａの移動により、制御ボード２０６Ａのサブアセンブリ２０７Ａ内の電気回路を閉じることができる。
【００７８】
フィン１７０Ａおよびキャニスタコネクタ２６０Ａは、キャニスタ１６０Ａがポンプアセンブリ１５０Ａに取り付けられると、キャニスタコネクタ２６０Ａがポンプアセンブリ１５０Ａのコネクタポート２０３Ａとの流体シールを形成する前に、フィン１７０Ａがスイッチ１５８Ａを起動させるよう配置され得る。フィン１７０Ａおよびキャニスタコネクタ２６０Ａは、キャニスタ１６０Ａがポンプアセンブリ１５０Ａから取り外されると、スイッチ１５８Ａが起動位置から非起動位置に移動する前に、キャニスタコネクタ２６０Ａとコネクタポート２０３Ａとの間の流体シールが破壊されるよう配置され得る。ポンプアセンブリ１５０Ａは、スイッチ１５８Ａが起動しているとキャニスタ動作モードで動作することができ、スイッチ１５８Ａが起動していないと、キャニスタレス動作モードで動作できるよう、さらに適合され得る。このように、キャニスタ１６０Ａがポンプアセンブリ１５０Ａに密封取付けされると、システム１００Ａは、ポンプアセンブリ１５０Ａがキャニスタレスモードで動作するのを回避するように配置され得る。キャニスタコネクタ２０６Ａとコネクタポート２０３Ａとの間のシールは、スイッチ１５８Ａが起動位置から非起動位置に移動した後に破壊される場合、これによってキャニスタがまだ接続されている間にシステム１００Ａがキャニスタレスモードで動作することが可能となるだろう。
【００７９】
その他の代替配置では、フィン１７０Ａおよびキャニスタコネクタ２６０Ａは、キャニスタ１６０Ａがポンプアセンブリ１５０Ａに取り付けられると、フィン１７０Ａがスイッチ１５８Ａを起動する前に、キャニスタコネクタ２６０Ａがポンプアセンブリ１５０Ａのコネクタポート２０３Ａとの流体シールを形成するよう配置され得る。いくつかの配置では、フィン１７０Ａおよびキャニスタコネクタ２６０Ａは、キャニスタ１６０Ａがポンプアセンブリ１５０Ａに取り付けられると、フィン１７０Ａがスイッチ１５８Ａを起動するのと同時、キャニスタコネクタ２６０Ａがポンプアセンブリ１５０Ａのコネクタポート２０３Ａとの流体シールを形成するよう配置され得る。
【００８０】
図８Ａは、キャニスタ１６０Ａとポンプアセンブリ１５０Ａとの間の接続部を示すＴＮＰシステム１００Ａの実施形態の断面側面図である。キャニスタ１６０Ａは、キャニスタ１６０Ａのキャニスタコネクタ２６０Ａをポンプアセンブリ１５０Ａのコネクタポート２０３Ａ上に押し込むことによって、ポンプアセンブリ１５０Ａに取り付けられ得る。ポンプアセンブリ１５０Ａは、コネクタポート２０３Ａとポンプアセンブリ１５０Ａのハウジング１５３Ａとの間に配置されるコネクタシール１５１Ａを含み得る。コネクタシール１５１Ａは、液体または汚れがコネクタポート２０３Ａとハウジング１５３Ａとの間を通過するのを防止することができ、それによって、液体および／または廃棄物がポンプアセンブリ１５０Ａの内部構成要素（例えば、制御ボード２０６Ａ）に接触するのを防止する。キャニスタコネクタ２６０Ａは、シール２０５Ａを含み得る。以下でより詳細に説明するように、シール２０５Ａは、ポンプアセンブリ１５０Ａのキャニスタコネクタ２６０Ａとハウジング１５３Ａとの間の密封容量を形成し得、それによって陰圧がコネクタポート２０５Ａからキャニスタ１６０Ａの内部空間へと伝達されることを可能にする。図示した実施形態では、シール２０５Ａは、キャニスタコネクタ２６０Ａを囲む溝内に着座するＯリングシールである。シール２０５Ａは、コネクタポート２０３Ａを取り囲むポンプアセンブリハウジング１５３Ａの一部と液体および／または気密シールを形成するように適合され得る。
【００８１】
図８Ｂは、ポンプアセンブリ１５０Ａに取り付けられたキャニスタ１６０Ａの断面側面図である。キャニスタコネクタ２６０Ａのシール２０５Ａは、コネクタポート２０３Ａを囲むポンプアセンブリ１５０Ａのハウジング１５３Ａの部分と気密シールを形成し、それによって、キャニスタ１６０の内部空間から、コネクタポート２０３Ａを通って、ポンプアセンブリ１５０Ａの内部管１５５Ａ内に延在する密封容積１０を形成する。シール２０５Ａは、ポンプアセンブリ１５０Ａによって生成される陰圧を、キャニスタ１６０Ａの内部空間に伝達することを可能にする。
【００８２】
図８Ｃは、ポンプアセンブリ１５０Ａに取り付けられたキャニスタレスコネクタ２６２Ａの断面側面図である。キャニスタレスコネクタ２６２Ａは、被覆材の一体型の部分であってもよく、または一片の管などの中間構造によって被覆材に接続されてもよい。図示した実施形態では、キャニスタレスコネクタ２６２Ａは、管２０９Ａの一片を通して被覆材（図示せず）に接続される。図示した実施形態では、キャニスタレスコネクタ２６２Ａの中央部分は、コネクタポート２０３Ａに挿入されて、ポンプアセンブリ１５０Ａの内部管１５５Ａから管２０９Ａの一片を通って延在する密封空間１０を形成する。キャニスタレスコネクタ２６２Ａは、ポンプアセンブリ１５０Ａによって生成される陰圧を、管２０９Ａを通して創傷に伝達することを可能にする。図８Ｂおよび８Ｃに示すように、ポンプアセンブリ１５０Ａは、異なる面を使用して、キャニスタ１６０Ａまたはキャニスタレスコネクタ２６２Ａとのシールを形成するコネクタポート２０３Ａを有し得る。図示した実施形態では、コネクタポート２０３Ａは、キャニスタ１６０Ａとの密封を形成する第一の密封面（図８Ｂ）と、キャニスタレスコネクタ２６２Ａとの密封を形成する第二の密封面（図８Ｃ）とを使用し、第一の密封面は第二の密封面の半径方向外向きに配置される。
【００８３】
以下でより詳細に論じるように、ポンプアセンブリ１５０Ａは、ポンプアセンブリ１５０Ａの凹部１５６Ａ内に配置されるスイッチ１５８Ａに加えて、一つまたは複数のスイッチ（例えば、図１６Ａ〜図２４を参照）を含み得る。一つまたは複数の追加スイッチは、キャニスタコネクタ２６０Ａがポンプアセンブリ１５０Ａに接続されると起動するように適合され得る。いくつかの配置では、ポンプアセンブリ１５０Ａは、キャニスレスコネクタ２６２Ａがポンプアセンブリ１５０Ａに接続されると起動する一つまたは複数の追加スイッチ（例えば、図１６Ａ〜図２４を参照）を含み得る。いくつかの配置では、ポンプアセンブリ１５０Ａは、コネクタポート２０３Ａがキャニスタコネクタ２６０Ａおよびキャニスタレスコネクタ２６２Ａの一方には接続されているが他方には接続されていないと軌道する、少なくとも一つの追加スイッチを含み得る。いくつかの配置では、少なくとも一つの追加スイッチは、コネクタポート２０３Ａに配置され得る。
【００８４】
図９Ａ〜図９Ｃは、キャニスタ１６０Ｂがポンプアセンブリ１５０Ｂに取り付けられると、円盤形状を有するＴＮＰシステム１００Ｂの実施形態を示す。コネクタポート２０３Ｂは、図９Ａに示す通り、円盤形状のポンプアセンブリ１５０Ｂの縁部上に配置され得る。キャニスタ１６０Ｂは、キャニスタ１６０Ｂの中間部分上に配置されるレール１７２Ｂを含み得る。ポンプアセンブリ１５０Ｂは、キャニスタ１６０Ｂがポンプアセンブリ１５０Ｂに取り付けられることを可能にするようにレール１７２Ｂ上に摺動するよう適合された凹部（図示せず）を含み得る。キャニスタ１６０Ｂのキャニスタコネクタ２６０Ｂは、キャニスタ１６０Ｂがポンプアセンブリ１５０Ｂに取り付けられると、ポンプアセンブリ１５０Ｂのコネクタポート２０３Ｂと整列することができる。コネクタポート２０３Ｂは、ポンプアセンブリ１５０Ｂによって生成される陰圧が、管２０９Ｂを通して創傷被覆材（図示せず）に伝達されるように、キャニスタレスコネクタ２６２Ｂと気密シールを形成するように適合され得る。図９Ｂは、ポンプアセンブリ１５０Ｂに取り付けられたキャニスタ１６０Ｂを有するＴＮＰシステム１００Ｂの部分背面図を示す。図９Ｃは、図９Ｂに示すＴＮＰシステム１００Ｂの部分正面図を示す。
【００８５】
図１０は、キャニスタ１６０Ｃがポンプアセンブリ１５０Ｃに取り付けられると、円盤形状を有するＴＮＰシステム１００Ｃの実施形態を示す。キャニスタ１６０Ｃは、組み立てられたＴＮＰシステム１００Ｃの円盤形状の面に対して実質的に垂直な方向に、キャニスタ１６０Ｃをポンプアセンブリ１５０Ｃに対して摺動させることによって、ポンプアセンブリ１５０Ｃ上に組み立てられ得る。コネクタポート２０３Ｃは、図１０に示す通り、円盤形状のポンプアセンブリ１５０Ｃの面上に配置され得る。キャニスタ１６０Ｃは、キャニスタ１６０Ｃの面と実質的に垂直に配置される一つまたは複数のレール１７２Ｃを含み得る。ポンプアセンブリ１５０Ｃは、キャニスタ１６０Ｃがポンプアセンブリ１５０Ｃに取り付けられることを可能にするようにレール１７２Ｃ上に摺動するよう適合された一つまたは複数の凹部（図示せず）を含み得る。キャニスタ１６０Ｃのキャニスタコネクタ２６０Ｃは、キャニスタ１６０Ｃがポンプアセンブリ１５０Ｃに取り付けられると、ポンプアセンブリ１５０Ｃのコネクタポート２０３Ｃと整列することができる。図示した実施形態では、ポンプアセンブリ１５０Ｃは、コネクタポート２０３Ｃが中心からずれて配置されている半円形プロファイルを有する。
【００８６】
図１１は、コネクタポート２０３Ｃが半円ポンプアセンブリ１５０Ｄの中心点に実質的に配置されることを除いて、図１０のシステム１００と類似したＴＮＰシステム１００Ｄの実施形態を示す。
【００８７】
図１２Ａおよび図１２Ｂは、ねじれ作用によってポンプアセンブリ１５０Ｅに取り付けられたキャニスタ１６０Ｅを有するＴＮＰシステム１００Ｅの実施形態を示す。キャニスタ１６０Ｅは、ポンプアセンブリ１５０Ｅ上の凹部（図示せず）に受けられるポスト１７４Ｅを有することができる。ポスト１７４Ｅがポンプアセンブリ１５０Ｅの凹部内に配置された後、ポンプアセンブリ１５０Ｅは、キャニスタ１６０Ｅに対して回転して、コネクタポート２０３Ｅをキャニスタコネクタ２６０Ｅと整列させることができる。図１２Ｂは、ポンプアセンブリ１５０Ｅが回転してコネクタポート２０３Ｅをキャニスタコネクタ２６０Ｅと接続した後およびその前の、ＴＮＰシステム１００Ｅの頂面図である。
【００８８】
図１３Ａ〜図１３Ｅは、回転可能なコネクタポート２０３Ｆを含むポンプアセンブリ１５０Ｆを有するＴＮＰシステム１００Ｆの実施形態を示す。コネクタポート２０３Ｆは、第一の位置と第二の位置との間を回転するように適合され得る。以下でより詳細に説明するように、コネクタポート２０３Ｆは、コネクタポート２０３Ｆが第一の位置にあると、キャニスタコネクタ２６０Ｆと接続するように適合され得る。コネクタポート２０３Ｆは、コネクタポート２０３Ｆが第二の位置にあると、キャニスタレスコネクタ２６２Ｆと接続するように適合され得る。
【００８９】
図１３Ａは、コネクタポート２０３Ｆが第一の位置にあるポンプアセンブリ１５０Ｆを示す。図１３Ａに示すように、コネクタポート２０３Ｆは、コネクタポート２０３Ｆが第一の位置にあると、ポンプアセンブリ１５０Ｆの面と実質的に平行であり得る。図１３Ｂは、コネクタポート２０３Ｆが第二の位置にあるポンプアセンブリ１５０Ｆを示す。図１３Ｂに示すように、コネクタポート２０３Ｆは、コネクタポート２０３Ｆが第二の位置にあると、ポンプアセンブリ１５０Ｆの面と実質的に垂直であり得る。図１３Ｃは、キャニスタ１６０Ｆとのポンプアセンブリ１５０Ｆの接続を図示する。コネクタポート２０３Ｆは、第一の位置にあり、ポンプアセンブリ１５０Ｆの面と実質的に平行である。キャニスタ１６０Ｆは、ポンプアセンブリ１５０Ｆの凹部１７６Ｆに着座して、コネクタポート２０３Ｆをキャニスタコネクタ２６０Ｆと整列させるのに役立つポスト１７４Ｆを含み得る。図１３Ｄは、キャニスタ１６０Ｆに取り付けられたポンプアセンブリ１５０Ｆを有するＴＮＰシステム１００Ｆを図示する。図１３Ｅは、コネクタポート２０３Ｆが第二の位置に回転すると、ＴＮＰシステム１００Ｆをキャニスタレスコネクタ２６２Ｆに取り付けることができることを図示する。
【００９０】
図１３Ｆは、以下で説明するように、本明細書に記載のＴＮＰシステム１００と類似したＴＮＰシステム１００Ｇの実施形態を示す。ＴＮＰシステム１００Ｇは、ポンプアセンブリ１５０Ｇおよびキャニスタ１６０Ｇを含み、これは以下の異なった説明以外は、本明細書に記載のポンプアセンブリ１５０およびキャニスタ１６０と類似している。
【００９１】
図１３Ｇは。ＴＮＰシステム１００Ｇは、キャニスタ１６０Ｇに摺動可能に結合されるように適合されたポンプアセンブリ１５０Ｇを有することができる。上述のように、ポンプアセンブリ１５０Ｇは、コネクタ２０１に接続するように適合されたコネクタポート２０３Ｇを有することができる（図３Ａ〜図３Ｂに概略的に示す）。コネクタ２０１は、上述のように、キャニスタコネクタ２６０またはキャニスタレスコネクタ２６２とすることができる。コネクタポート２０３Ｇは、ポンプアセンブリ１５０Ｇ内に収容される陰圧源（例えば、真空ポンプ）に流体接続され得る。コネクタポート２０３Ｇは、ポンプアセンブリ１５０Ｇの陰圧源とコネクタポート２０３Ｇに接続されたコネクタ２０１との間の流路を確立できる。ポンプアセンブリ１５０Ｇは、コネクタポート２０３Ｇに取り付けられたキャニスタコネクタ２６０Ｇまたはキャニスタレスコネクタ２６２に陰圧を提供することができる。キャニスタ１６０Ｇは、ポンプアセンブリ１５０Ｇがキャニスタ１６０Ｇ上に摺動可能に取り付けられると、コネクタポート２０３Ｇに流体接続するキャニスタコネクタ２６０Ｇを有することができる。キャニスタ１６０Ｇは、陰圧がキャニスタコネクタ２６０Ｇを介してキャニスタ１６０Ｇに適用されると、創傷滲出物がキャニスタ１６０Ｇに入る入口１６１Ｇを有することができる。
【００９２】
引き続き図１３Ｇを参照すると、ポンプアセンブリ１５０Ｇは、ポンプアセンブリ１５０Ｇの圧力選択を可能にするダイヤル３２７Ｇを含み得る。ポンプアセンブリ１５０Ｇによって供給される陰圧の大きさは、ダイヤル３２７Ｇを回転させることによって調節され得る。ダイヤル３２７Ｇは、二つ以上の独立した設定に切り換えるように適合され得る。例えば、ダイヤル３２７Ｇは、ポンプアセンブリ１５０Ｇによって提供される陰圧を三つの設定（例えば、−６０Ｍｍｈｇ、−８０Ｍｍｈｇ、および−１２０Ｍｍｈｇ）のうちの一つに設定できる三つの独立した設定を有し得る。ポンプアセンブリ１５０Ｇは、ストラップまたは留め金の固着部位として使用できるバー１５９Ｇを含み、それによってポンプアセンブリ１５０Ｇがバー１５９Ｇに取り付けられたストラップから吊り下げられることを可能にする。キャニスタ１６０Ｇおよびポンプアセンブリ１５０Ｇが共に接続されると、キャニスタ１６０Ａの頂面の傾斜部分は、ポンプアセンブリ１５０Ａの底面の傾斜部分上に支持され、それによって、ポンプアセンブリ１５０Ｇがバー１５９Ｇから吊り下げられると、ポンプアセンブリ１５０Ａ上のキャニスタ１６０Ａの保持を強化するオーバーハングを形成し得る。ポンプアセンブリ１５０Ｇは、ポンプアセンブリ１５０Ｇのハウジング１５３Ｇ上に一つまたは複数のアイコンを含み得る。アイコンは、ポンプアセンブリ１５０Ｇのハウジング１５３Ｇ内に配置された光源によって後ろから照らされ得る。
【００９３】
図１３Ｈは、ポンプアセンブリ１５０Ｇのキャニスタに面する面上の特徴を図示する。ポンプアセンブリ１５０Ｇのキャニスタに面する面は、図６に関して上述したスロット１５２Ａおよびオーバーハング１５４Ａと同様のスロット１５２Ｇおよびオーバーハング１５４Ｇを含み得る。スロット１５２Ｇは、キャニスタ１６０Ｇ上に配置された対応する固定タブ１６６Ｇ（図１３Ｊに示す）を受けることができ、それによってポンプアセンブリ１５０Ｇは、図５および図６に関して上述した通り、キャニスタ１６０Ｇ上に摺動可能に取り付けられるようになる。図１３Ｈに示すように、ポンプアセンブリ１５０Ｇは、ポンプハウジング１５３上に配置されたインジケータマーク１３５を含み得る。インジケータマーク１３５は、キャニスタ１６０Ｇ上に配置された対応するインジケータマーク１３７と整列することができる。インジケータマーク１３５、１３７は、キャニスタ１６０Ｇへのポンプアセンブリ１５０Ｇの結合を容易にするように配置され得る。インジケータマーク１３５、１３７は、固定タブ１６６Ｇを適切に整列させて、固定タブ１６６Ｇがポンプアセンブリ１５０Ｇのスロット１５２Ｇに入ることを可能にするように配置され得る。図示した実施形態では、インジケータマーク１３５、１３７は「Ｕ」形状である。インジケータマーク１３５、１３７は、ポンプアセンブリ１５０Ｇのインジケータマーク１３５の前方垂直部分が、キャニスタ１６０Ｇのインジケータマーク１３７の後方垂直部分と整列すると、固定タブ１６６Ｇが整列してスロット１５２Ｇに入るように配置され得る。ポンプアセンブリ１５０Ｇは、キャニスタ１６０Ｇに対して前方に摺動して、インジケータマーク１３５、１３７の前方垂直部分を互いに整列させ、それによってポンプアセンブリ１５０Ｇおよびキャニスタ１６０Ｇが一緒に保持されるように、コネクタポート２０３Ｇをキャニスタコネクタ２６０Ｇに結合し、オーバーハング１５４Ｇを有する固定タブ１６６Ｇを垂直に整列させ得る。
【００９４】
図８Ｂおよび図８Ｃに示すコネクタポート２０３Ａに関して上述したように、コネクタポート２０３Ｇは、キャニスタコネクタ２６０またはキャニスタレスコネクタ２６２のいずれかと流体シールを形成するように適合され得る。コネクタポート２０３Ａは、キャニスタレスコネクタ２６２と流体シールを形成する第一の密封面を有することができる。コネクタポート２０３Ａは、キャニスタコネクタ２６０と流体シールを形成する第二の密封面を有することができる。第一および第二の密封面は、コネクタポート２０３Ａ上で互いから離間し得る。図１３Ｈに示す実施形態では、コネクタポート２０３Ｇは、先端部分２１３と基部部分２１５とを有し、基部部分２１５は先端部分２１３とポンプハウジング１５３との間に配置される。先端部分２１３は、キャニスタレスコネクタ２６２と流体シールを形成することができる。図示した実施形態では、先端部分２１３はルアーロック特徴を、基部部分２１５から離れる方向に面する端部上に含む。先端部分２１３は、ルアーロック特徴と基部部分２１３との間に介在する先細りしたシャフトを含み得る。先細りしたシャフトは、先細りしたシャフトの外径が基部部分２１５から先端部分２１３への方向において先細りしたシャフトに沿って減少するように、先端部分２１３の方向に先細りにすることができる。先細りしたシャフトは、ルアーロック特徴上でねじられたメスルアー嵌合との締まりばめを形成することができる。先細りしたシャフトのテーパは、Ｍｏｒｓｅテーパとすることができる。いくつかの実施形態では、先細りしたシャフトは約１°〜約１０°のテーパ角度を有する。特定の変形では、先細りしたシャフトは約５°のテーパ角を有する。
【００９５】
基部部分２１５は、コネクタポート２０３が挿入されるキャニスタコネクタ２６０とシールを形成するＯリングを含み得る。いくつかの実施形態では、コネクタポート２０３Ｇとキャニスタコネクタ２６０との間の接続の配向を反転させることができる。いくつかの変形では、基部部分２１５はＯリングを有さず、キャニスタコネクタ２６０は、コネクタポート２０３Ｇの基部部分２１５を受ける内面内に配置されたＯリングを有し得る。
【００９６】
図１３Ｉは、キャニスタ１６０Ｇのポンプに面する面の図を示す。キャニスタ１６０Ｇは、上述の通り、固定タブ１６６Ｇを整列させて、ポンプアセンブリ１５０Ｇがキャニスタ１６０Ｇ上に取り付けられることを可能にするのに役立つインジケータマーク１３７を含み得る。
【００９７】
図１３Ｊは、ポンプに面する面から垂直に延在して、側壁１６４Ｇから水平に延在する固定タブ１６６Ｇに接続する支台１６９Ｇを有するキャニスタ１６０Ｇのポンプに面する面の実施形態を図示する。支台１６９Ｇは、ポンプアセンブリ１５０Ｇがキャニスタ１６０Ｇのベッド１６２Ｇの開放端から摺動するのを防止するハードストップとして作用し得、それによって、ユーザがキャニスタ１６０Ｇまたはポンプ１５０Ｇを落としてしまう可能性があるキャニスタ１６０Ｇとポンプ１５０Ｇの結合解除時に、ユーザのキャニスタ１６０Ｇおよびポンプ１５０Ｇを摺動させる速度が速すぎるかまたは遅すぎるのを防ぐ。
【００９８】
図１３Ｋは、ユーザがポンプアセンブリ１５０Ｇまたはキャニスタ１６０Ｇを、それらを互いから結合解除するときに、摺動させすぎて落としてしまう可能性を低減させる、対応する支台１６９Ｇを有するポンプアセンブリ１５０Ｇのキャニスタに面する面の実施形態を示す。
【００９９】
図１３Ｌは、ポンプアセンブリ１５０Ｇの内部構成要素のいくつかが見えるように、ポンプハウジング１５３Ｇを透明にしたポンプアセンブリ１５０Ｇを示す。図１３Ｌに示すように、ポンプアセンブリ１５０Ｇは、下記に別様に説明する以外は、ゲート１２４（図４Ｅに示す）と類似した光ガイド２２４Ｇを含み得る。光ガイド２２４Ｇは、隣接する一対のブレード２２６Ｇの間の複数のスロット２２８Ｇを画定する複数のブレード２２６Ｇを含み得る。光ガイド２２４Ｇは、スロット２２８Ｇがポンプハウジング１５３Ｇ上に配置されたアイコン（図１３Ｇに示す）と整列するように、ポンプハウジング１５３Ｇに固定され得る。ブレード２２６Ｇは、光がブレード２２６を通過するのを防ぐために不透明であってよく、それによって、一つのスロット２２８Ｇ内に配置された光源が、隣接する溝穴２２８Ｇを覆うハウジング１５３Ｇの一部分を照らすのを防止する。ブレード２２６Ｇは、ポンプハウジング１５３Ｇの内面の輪郭と一致するように形成された前面２２２Ｇを有することができる。前面２２２Ｇは、光ガイド２２４Ｇがポンプハウジング１５３Ｇの内面と同一平面になるように形成され得る。前面２２２Ｇは、ポンプハウジング１５３Ｇの前面２２２Ｇと内面との間のギャップを形成することを避けるように形状付けられ、それによって、光ガイド２２４Ｇの隣接するスロット２２８Ｇの間の光漏れを防止または減少させることができる。
【０１００】
いくつかの実施形態では、図１３Ｌに図示した通り、本明細書に記載のポンプアセンブリ１５０Ｇなどの医療装置は、一つまたは複数のアイコンを有する外面を有するハウジング１５３Ｇを備えることができ、ハウジング１５３Ｇ内には、ブレード２２６Ｇの間の複数のブレード２２６Ｇおよびスロット２２８Ｇを備える光ガイド２２２Ｇが提供されている。光ガイド２２２Ｇおよびアイコンは、それぞれのアイコンが個別のスロット２２８Ｇと整列するように配置でき、それによってスロット２２８Ｇ内に配置された光源が単一アイコンを照らすことができるようになる。
【０１０１】
図１３Ｍは、光ガイド２２４Ｇの正面図を示す。図１３Ｎは、ポンプハウジング１５３Ｇの内面上に取り付けられた光ガイド２２４Ｇを示す。図１３Ｏは、ポンプハウジング１５３Ｇの内面がポンプハウジング１５３Ｇを通る光の透過を強化させる薄い部分２２１Ｇを含むことができることを示すために、光ガイド２２４Ｇが取り除かれたポンプハウジング１５３Ｇの内部を示す。図１３Ｏに示すように、ポンプハウジング１５３Ｇの薄い部分２２１Ｇは、ポンプハウジング１５３Ｇの内面の周囲部分に対して窪んでいることができる。図１３Ｇに示すように、薄い部分２２１Ｇの外面は、ポンプハウジング１５３Ｇの外面が滑らかな仕上がり面を有するように、ポンプハウジング１５３Ｇの外面と同一平面とすることができる。
【０１０２】
図１３Ｐは、ポンプアセンブリ１５０Ｇの内部構成要素が見えるように、ポンプハウジング１５３Ｇを上昇させたポンプアセンブリ１５０Ｇを示す。ポンプアセンブリ１５０Ｇは、ポンプ２２３Ｇなどの陰圧源を含み得る。ポンプ２２３Ｇは、マニホールド２２５Ｇを介してコネクタポート２０３Ｇに流体接続され得る。マニホールド２２５Ｇは、圧力感知ライン２２９Ｇによって圧力センサ２２７Ｇに接続され得る。圧力センサ２２７Ｇは、プリント回路基板（ＰＣＢ）２３１Ｇと通信できる。ＰＣＢ２３１Ｇは、ＰＣＢ２３１Ｇがマニホールド２２５Ｇ内の陰圧の大きさを検出することができるように、圧力センサ２２７Ｇからの信号を受信するように適合され得る。
【０１０３】
図１３Ｑは、マニホールド２２５Ｇが四つのポートを含むことができる斜視図を示す。マニホールド２２５Ｇは、コネクタポート２０３Ｇと流体連通するポート２３３Ｇを有することができる。マニホールド２２５Ｇは、ポンプ２２３Ｇと流体連通するポンプ入口ポート２３５Ｇを有することができる。マニホールド２２５Ｇは、圧力センサ２２７Ｇと流体連通する圧力センサポート２３７Ｇを有することができる。マニホールド２２５Ｇは、マニホールド２２５Ｇ内の圧力が過圧ポート２３９Ｇのクラッキング圧を超える場合、マニホールド２２５Ｇへの流体の流れを許容するように適合された超過圧ポート２３９Ｇを有することができる。
【０１０４】
図１３Ｒは、過圧ポート２３９Ｇ内に着座することができるレギュレータ２４１Ｇを示す過圧ポート２３９Ｇの部分斜視図を示す。レギュレータ２４１Ｇは、マニホールド２２５Ｇ内部の陰圧がレギュレータ２４１Ｇのクラッキング圧を超えると、通気孔２４３Ｇを通る流路を開くように適合され得る。レギュレータ２４１Ｇは、コネクタ２０３に取り付けられた被覆材に加えられる陰圧の大きさを制限することができる。
【０１０５】
図１３Ｓは、マニホールド２２５Ｇの内部構成要素を示すために、マニホールドハウジング２４５Ｇを透明にしたマニホールド２２５Ｇの斜視図を示す。図１３Ｓに示すように、マニホールド２２５Ｇは、非戻りバルブ（ＮＲＶ）２４７Ｇを含むことができる。ＮＲＶ２４７Ｇは、一つの方向に弁２４７Ｇを通して流れることを可能にし、且つ、ＮＲＶ２４７Ｇを通して反対方向への流れは妨げるように適合され得る。図示した実施形態では、ＮＲＶ２４７Ｇは、被覆材ポート２３３Ｇからポンプ入口ポート２３５Ｇへの方向に空気の流れを許可する。ＮＲＶ２４７Ｇは、ポンプ入口ポート２３５Ｇから被覆材ポート２３３Ｇに向かう方向の気流を塞ぐ。ＮＲＶ２４７Ｇは、ポンプ２２３Ｇが電源オフされると、被覆材ポート２３３Ｇに加えられた陰圧を低減させるか、大気圧に向かって増加するのを防止することができる。いくつかの実施形態では、マニホールド２２５Ｇは、変形しやすい材料（例えば、シリコン）で作製される。いくつかの実施形態では、マニホールド２２５Ｇは、約２０デュロメートル〜約７０デュロメートルの間のデュロメ―タ値を有する材料で作製される。いくつかの実施形態では、ポンプ２２３Ｇによって生成される振動および騒音を減少または減衰するよう適合された可撓性の材料で作製される。
【０１０６】
いくつかの実施形態では、図１３Ｓに示すように、本明細書に記載のポンプアセンブリ１５０Ｇなどの医療装置は、一つまたは複数のポートと流体連通する中央流路を画定するハウジングを持つマニホールド２２５Ｇを備えることができる。マニホールド２２５Ｇは、中央流路内に配置された非戻りバルブ（ＮＲＶ）２４７Ｇを含むことができる。ＮＲＶ２４７Ｇは、中央流路の上流部分と下流部分との間に配置することができる。ＮＲＶ２４７Ｇは、中央流路の下流部分から上流部分への方向におけるＮＲＶ２４７Ｇを通して流れることを可能にするように適合され得る。ＮＲＶ２４７Ｇは、上流部分から下流部分への方向における、ＮＲＶ２４７Ｇを通した流れをブ塞ぐか、または妨げることができる。一つまたは複数のポートは、中央流路の下流部分と流体連通する被覆材ポート２３３Ｇと、中央流路の上流部分と流体連通するポンプ入口ポート２３５Ｇと、中央流路の上流部分と流体連通する過圧ポート２３９Ｇと、中央流路の下流部分と流体連通する圧力センサポート２３７Ｇとのうちの一つまたは複数を含むことができる。いくつかの実施形態では、ポンプ入口ポート２３５Ｇと流体連通して配置されたポンプ２２３Ｇによって生成される振動および騒音を減少または減衰するよう適合された可撓性の材料で作製される。
【０１０７】
図１４は、ＴＮＰシステム１００がコネクタスイッチ３００を含むことができることを示す。コネクタスイッチ３００は、ポンプアセンブリ１５０上に配置され得る。コネクタスイッチ３００は、コネクタポート２０３の近くに配置され得る。以下でより詳細に論じるように、コネクタスイッチ３００は、コネクタポート２０３がキャニスタコネクタ２６０またはキャニスタレスコネクタ２６２に取り付けられているかどうかを検出するように適合される。コネクタポート２０３は、管２０９の一部分に取り付けられたキャニスタコネクタ２６０に接続するように適合され得る。コネクタポート２０３は、管２０９の一部分に取り付けられたキャニスタレスコネクタ２６２に接続するように適合され得る。
【０１０８】
図１５は、コネクタスイッチ３００が起動すると、コネクタスイッチ３００が電気回路３０１を閉じるように適合され得ることを示す。コネクタスイッチ３００が起動されないと、コネクタスイッチ３００が電気回路３０１を開くように適合され得る。コネクタスイッチ３００は、コネクタスイッチ３００が、キャニスタコネクタ２６０がコネクタポート２０３に接続されると閉じ、キャニスタレスコネクタ２６２がコネクタポート２０３に接続されると開くよう適合され得る。コネクタスイッチ３００が、キャニスタレスコネクタ２６２がコネクタポート２０３に接続されると閉じ、キャニスタコネクタ２６０がコネクタポート２０３に接続されると開くように配向が切り換えられ得る。制御ボード２０６（図３Ａに示す）は、電気回路３０１が開いた構成または閉じた構成のどちらにあるかを検出するように適合され得る。制御ボード２０６は、キャニスタコネクタ２６０またはキャニスタレスコネクタ２６２のどちらがコネクタポート２０３に接続されているかを検出するように適合され得る。
【０１０９】
図１６Ａ〜図１６Ｅは、一つまたは複数の様々なコネクタ（例えば、図１４のコネクタ２６０、２６２）を係合するように構成されたコネクタスイッチ３００の様々な実装を図示する。いくつかの実施形態では、本明細書に記載した一つまたは複数のコネクタスイッチ３００は、減圧創傷治療システム１００のユーザから実質的に隠れている。例えば、コネクタスイッチ３００は、ポンプアセンブリ１５０のハウジング内に窪んでいるか、またはガスケット材料の下に配置され得る。上述のように、これらの様々な実施は、有利なことに、ポンプアセンブリ１５０が異なるタイプのコネクタ、例えば、キャニスタコネクタ２６０とキャニスタレスコネクタ２６２などを区別することを可能にする。ポンプアセンブリ１５０は、例えば、キャニスタ接続モードまたはキャニスタレスモードなどの、一つまたは複数の様々な動作モードで機能するかどうかを自動的に判定することができる。一つまたは複数の様々な動作モードは、例えば、圧力閾値、変化率、または圧力変化のタイミングなどの、少なくとも関連するポンプ動作圧力設定において、異なり得る。
【０１１０】
いくつかの実施形態では、コネクタポート２０３は、ハウジング２００の窪んだ部分内に配置されてもよく、一つまたは複数のコネクタスイッチ３００を含み得る。例えば、図１６Ａは、ハウジング２００の窪んだ部分上に互いに横切って配置された一対のコネクタスイッチ３００ａを有する窪んだコネクタポート２０３ａを示す。しかし、コネクタポート２０３ａは、１８０度まで円周方向に離間した二つのコネクタスイッチ３００ａを有する必要はない。例えば、コネクタポート２０３ａは、一つ、三つ、または三つより多いコネクタスイッチ３００ａを有することができる。複数のコネクタスイッチ３００ａを有する実施形態では、コネクタスイッチ３００ａは、隣接するコネクタスイッチ３００ａから１８０度よりも大きいまたは小さい角度で円周方向に離間することができる。図１６Ａに示すように、いくつかの実施形態では、一つまたは複数のコネクタスイッチ３００ａは、コネクタポート２０３ａの側面上に配置され得る。言い換えれば、コネクタスイッチ３００ａは、ハウジング２００からコネクタポート２０３ａの長手方向軸に向かって延在することができる。いくつかの実施形態では、コネクタスイッチ３００ａは、汚れまたは液体に起因して接続が間違っている場合に、より多くの許容を可能にする冗長スイッチを提供するために、複数のスイッチを有する。
【０１１１】
コネクタポート２０３ａは、ポンプ内腔２５２ａに流体接続された中央部分２５０ａを有することができる。中央部分２５０ａは、コネクタ２０１をコネクタポート２０３に結合するよう適合される入口端２５４ａを有することができる。入口端２５４ａは、コネクタ２０１を入口端２５４ａに取り付けるためのさまざまな手段のいずれかを含み得る。例えば、図示した実施形態では、入口端２５４ａは、コネクタ２０１上の雌ねじ山と嵌合する雄ねじ山を有するフランジを含む。しかし、入口端２５４ａは、ねじ山を有する必要はなく、その他の周知の取付け手段（例えば、バーベッド取付具）を含むことができる。
【０１１２】
引き続き図１６Ａを参照すると、コネクタポート２０３ａは、上述の通り、コネクタ２０１と嵌合して、ポンプアセンブリ１５０と創傷被覆材との間の流路を確立するように適合され得る。コネクタ２０１は、キャニスタコネクタ２６０またはキャニスタレスコネクタ２６２とすることができる。キャニスタコネクタ２６０は、上述の通り、キャニスタ１６０と一体型であってもよく、または、管２０９の端部に配置されてもよい。キャニスタコネクタ２６０は、創傷被覆材１８０からポンプアセンブリ１５０への流路に沿って配置されるときに、キャニスタ１６０（図２Ｂに示す）が使用され得る。図２Ａに図示するように、創傷被覆材１８０からポンプアセンブリ１５０へと流路に沿った介在キャニスタがないときに、キャニスタレスコネクタ２６２が使用され得る。コネクタ２０１およびコネクタポート２０３は、ポンプアセンブリ１５０が、コネクタポート２０３がキャニスタコネクタ２６０またはキャニスタレスコネクタ２６２のどちらに結合されているかを区別できるように適合され得る。例えば、キャニスタコネクタ２６０ａは、図１６Ａに示す通り、キャニスタコネクタ２６０ａがコネクタポート２０３ａ上に着座すると、コネクタスイッチ３００ａを起動する（例えば、プレスする）拡張リップ２６４ａを有し得る。キャニスタレスコネクタ２６２ａは、キャニスタレスコネクタ２６２ａがコネクタポート２０３ａに結合されるとき、コネクタスイッチ３００ａが起動されないように、拡張リップ２６４ａを欠く場合がある。キャニスタレスコネクタ２６２ａは、コネクタポート２０３の開口部を越えて延在するフランジ２１１を含み、また、キャニスタレスコネクタ２６２ａがコネクタポート２０３内に強制的に押し込まれることを防止し得る。フランジ２１１は、コネクタスイッチ３００ａが、コネクタポート２０３ａへキャニスタレスコネクタ２６２ａが強制挿入されることによって起動するのを回避するのに役立ち得る。いくつかの実施形態では、キャニスタレスコネクタ２６２ａがコネクタポート２０３ａに結合されるとコネクタスイッチ３００ａが起動され、キャニスタコネクタ２６０ａがコネクタポート２０３ａに結合されると起動されないよう、キャニスタコネクタ２６０ａが拡張リップ２６４ａを欠く一方で、キャニスタレスコネクタ２６２ａは拡張リップ２６４ａを有する。
【０１１３】
図１６Ａに示す実施形態では、拡張リップ２６４ａは、キャニスタコネクタ２６０のカラー部分２６６から延在する。図示した実施形態では、カラー部分２６６の面は、キャニスタコネクタ２６０ａがコネクタポート２０３ａの上に着座すると、ハウジング２００の面と実質的に整列し、拡張リップ２６４ａはハウジング２００の凹部を実質的に充填する。しかし、いくつかの実施形態では、カラー部分２６６は、部分的に凹部内に延在するようサイズ決めすることができる。いくつかの構成では、コネクタ２０１は、凹部を密封して汚れまたは水分がコネクタスイッチ３００に達するのを回避するのに役立つ保護特徴を含み得る。例えば、コネクタ２０１は、コネクタ２０１がコネクタポート２０３に結合されると、凹部およびシートをハウジング２００に対して半径方向に越えて延在するシリコンフランジを含み得る。いくつかの実施形態では、保護特徴は、ハウジングの窪んだ壁に対してシールするＯリングである。保護機構は、キャニスタコネクタ２６０およびキャニスタレスコネクタ２６２の両方上に配置されてもよく、コネクタ２０１がコネクタポート２０３に結合されると、保護特徴が制御スイッチ３００を起動しないように適合することができる。
【０１１４】
図１６Ｂは、以下で説明するように、コネクタポート２０３ａと同様のコネクタポート２０３ｂの実施形態を図示する。コネクタポート２０３ｂの特徴は、コネクタポート２０３ａまたは本明細書で考察した任意の他の実施形態と組み合わせることも、または含めることもできる。コネクタポート２０３ｂは、図１６Ｂに示す通り、ハウジング２００の窪んだ部分の基部において、コネクタポート２０３ｂの中央部分２５０ｂの周りに円周方向に配置されるコネクタスイッチ３００ｂを有し得る。このように、コネクタスイッチ３００ｂは、ドーナツまたはリングのように形状付けられる。コネクタスイッチ３００ｂは、キャニスタコネクタ２６０のカラー部分２６６から延在するリップ２６４ｂによって起動される（例えば、押される）ことができる。いくつかの実施形態では、キャニスタレスコネクタ２６２ｂがコネクタポート２０３ｂに結合されるとコネクタスイッチ３００ｂが起動され、キャニスタコネクタ２６０ａがコネクタポート２０３ａに結合されると起動されないよう、キャニスタコネクタ２６０ｂが拡張リップ２６４ｂを欠く一方で、キャニスタレスコネクタ２６２ｂは拡張リップ２６４ｂを有する。いくつかの構成では、上述のように、コネクタ２０１は、凹部を密封して汚れまたは水分がコネクタスイッチ３００に達するのを回避するのに役立つ保護特徴を含み得る。
【０１１５】
図１６Ｃは、以下で説明するように、コネクタポート２０３ｂと同様のコネクタポート２０３ｃの実施形態を図示する。コネクタポート２０３ｃの特徴は、コネクタポート２０３ｂまたは本明細書で考察した任意の他の実施形態と組み合わせることも、または含めることもできる。コネクタポート２０３ｃは、回転スイッチであるコネクタスイッチ３００ｃを含み得る。コネクタスイッチ３００ｃは、コネクタポート２０３ｃに対して様々な回転位置で係合されると、様々なコネクタ２０１と係合することができる。例えば、いくつかの実施形態では、キャニスタコネクタ２６０ｃは、キャニスタコネクタ２６０ｃがコネクタポート２０３ｃに取り付けられた後に（例えば、ねじりロック構造）、コネクタスイッチ３００ｃと係合するように構成され得る。図１６Ｃの右上のインサートに示すように、コネクタスイッチ３００ｃは、ハウジング２００から凹部内に突出することができる。コネクタスイッチ３００ｃは、コネクタスイッチ３００ｃが第一の位置から第二の位置へと移動できるように、ハウジング２００内の溝またはスロット内に移動するように適合され得る。コネクタスイッチ３００ｃは、第一の位置で起動され、第二の位置で起動解除されてもよく、または逆でもよい。コネクタスイッチ３００ｃは、静止位置に戻るように付勢され得る。コネクタスイッチ３００ｃの静止位置は、コネクタスイッチ３００ｃの起動位置または非起動位置とすることができる。
【０１１６】
いくつかの実施形態では、キャニスタコネクタ２６０ｃは、キャニスタコネクタ２６０ｃがコネクタポート２０３ｃに結合されると、コネクタスイッチ３００ｃを起動する（例えば、回転する）拡張リップ２６４ｃを有し得る。拡張リップ２６４ｃは、図１６Ｃの左上インサートに示すように、支台面２７０ｃを形成するらせん状の切り込みを有し得る。支台面２７０ｃは、キャニスタコネクタ２６０ｃがコネクタポート２０３ｃに結合されると、コネクタスイッチ３００ｃを非起動位置から起動位置へと移動させるようサイズ決めされ得る。キャニスタレスコネクタ２６２ｃは、キャニスタレスコネクタ２６２ｃがコネクタポート２０３ｃに結合されるとき、コネクタスイッチ３００ｃが起動されないように、拡張リップ２６４ｃを欠く場合がある。いくつかの実施形態では、キャニスタレスコネクタ２６２ｃがコネクタポート２０３ｃに結合されるとコネクタスイッチ３００ｃが起動され、キャニスタコネクタ２６０ｃがコネクタポート２０３ｃに結合されると起動されないよう、キャニスタコネクタ２６０ｃが拡張リップ２６４ｃを欠く一方で、キャニスタレスコネクタ２６２ｃは拡張リップ２６４ｃと支台面２７０ｃとを有する。いくつかの実施形態では、支台面２７０ｃは、コネクタ２０１がコネクタポート２０３ｃに結合されると、コネクタスイッチ３００ｃを起動位置から非起動位置へと移動させる。いくつかの構成では、上述のように、コネクタ２０１は、凹部を密封して汚れまたは水分がコネクタスイッチ３００に達するのを回避するのに役立つ保護特徴を含み得る。いくつかの構成では、回転コネクタスイッチ３００ｃおよび支台面２７０ｃはそれぞれ、コネクタ２０１が閾値量だけ回転されると（例えば、キャニスタコネクタ２６０がキャニスタレスコネクタ２６２に対向するものとして取り付けられていることを示す）電気回路に係合し、完了させるように構成された導電性材料を含むことができる。
【０１１７】
図１６Ｄは、以下で説明するように、コネクタポート２０３ｃと同様のコネクタポート２０３ｄの実施形態を図示する。コネクタポート２０３ｄの特徴は、コネクタポート２０３ｃまたは本明細書で考察した任意の他の実施形態と組み合わせることも、または含めることもできる。コネクタポート２０３ｄは、図１６Ｄに示す通り、コネクタポート２０３ｄの内側に位置するコネクタスイッチ３００ｄを含み得る。いくつかの構成では、コネクタスイッチ２０３ｄは、コネクタポート２０３ｄを通過する気流内に直接配置され得る。コネクタスイッチ３００ｄをコネクタポート２０３ｄ内に位置付けることにより、使用中にコネクタスイッチ３００ｄを完全に保護する利点を有する。図示した実施形態に示すように、コネクタスイッチ３００ｄは、コネクタスイッチ３００ｄの内側にある肩部３０２上に配置され得る。
【０１１８】
キャニスタコネクタ２６０ｄは、図１６Ｄに示す通り、キャニスタコネクタ２６０ｄがコネクタポート２０３ａに接続されると、コネクタスイッチ３００ｄを起動する（例えば、プレスする）拡張リップ２６４ｄを有し得る。キャニスタレスコネクタ２６２ｄは、キャニスタレスコネクタ２６２ｄがコネクタポート２０３ｄに結合されるとき、コネクタスイッチ３００ｄが起動されないように、拡張リップ２６４ｄを欠く場合がある。いくつかの実施形態では、キャニスタレスコネクタ２６２ｄがコネクタポート２０３ｄに結合されるとコネクタスイッチ３００ｄが起動され、キャニスタコネクタ２６０ｄがコネクタポート２０３ｄに結合されると起動されないよう、キャニスタコネクタ２６０ｄが拡張リップ２６４ｄを欠く一方で、キャニスタレスコネクタ２６２ｄは拡張リップ２６４ｄを有する。
【０１１９】
図１６Ｅは、キャニスタコネクタ２６０ｅの回転によって起動するコネクタスイッチ３００ｅを含むことができるコネクタポート２０３ｅの実施形態を図示する。キャニスタコネクタ２６０ｅは、コネクタポート２０３ｅを囲む凹部２７３ｅ内に延在する栓部２７１ｅを含み得る。キャニスタコネクタ２６０ｅが回転してキャニスタコネクタ２６０ｅをコネクタポート２０３ｅに取り付けられると、栓部２７１は溝２７３ｅ内で摺動し、溝２７３ｅ内に配置されたコネクタスイッチ３００ｅを起動させる。ガスケット２７５ｅは、溝２７３ｅの底部を密封することができる。
【０１２０】
図１７は、膜シール２７７が、コネクタポート２０３からポンプアセンブリ１５０のハウジングに延在して、コネクタスイッチ３００を含む密封された区画２７９を形成することができることを示す。膜シール２７７は、コネクタスイッチ３００を汚れや液体で汚染されることから保護できる。膜シール２７７は、キャニスタコネクタ２６０がコネクタポートに接続されると、拡張リップ２６４がコネクタスイッチ３００を起動させ得るように、キャニスタコネクタ２６０の拡張リップ２６４が膜２７７を延伸させることができるのに十分可撓性があってよい。いくつかの変形では、膜シール２７７は、拡張リップ２６４がスリットを通過できるようにするスリットを有するが、膜２７７は拡張リップ２６４の外面に対して滑り嵌めを形成して、汚れを区画２７９から防ぐ。
【０１２１】
図１８は、コネクタスイッチ３００が汚れや液体によって汚染されることから保護できる膜シール２７７の他の構成を図示する。シール２７７は、コネクタポート２０３を囲むポンプアセンブリ１５０ハウジングの窪んだ部分を一列にすることができる。膜シール２７７は、コネクタスイッチを覆い、起動状態と非起動状態の間でコネクタスイッチ３００を移動させることができ、キーボードまたは計算器のキーに重なる可撓性カバーと類似する。特定の配置では、膜シール２７７は、ポンプアセンブリ１５０のハウジング内からコネクタスイッチ３００の上に延在することができる。いくつかの配置では、コネクタスイッチ３００は、ポンプアセンブリ１５０のハウジング内で密封され、コネクタ２０１がコネクタポート２０３に取り付けられると偏向され得る。制御ボード２０６は、コネクタスイッチ３００が偏向されると検出するように構成され得る。
【０１２２】
図１９は、コネクタ２０１がコネクタポート２０３に取り付けられると、電気回路を完成させるように構成されたコネクタ２０１を図示する。例えば、キャニスタコネクタ２６０は、キャニスタコネクタ２６０の内面２８１上に配置された導電性材料を有し得る。コネクタポート２０３は、コネクタポート２０３の両側に金属接続部２８３を有し得る。キャニスタコネクタ２６０がコネクタポート２０３に取り付けられると、キャニスタコネクタ２６０の内面２８１上に配置される材料の導電性リングは、金属接続部２８３の間の電気的接続を確立することができる。ポンプアセンブリ１５０の制御ボード２０６は、コネクタポート２０３の金属接続部２８３の間に電気的接続がいつ作られるかを検出するよう構成され得、それによって、キャニスタコネクタ２６０がコネクタポート２０３に取り付けられることをポンプアセンブリ１５０に信号送信するように構成され得る。特定の配置では、金属接続部２８３は、コネクタポート２０３の周りに円周方向に配置され得る。キャニスタコネクタ２６０は、キャニスタコネクタ２６０の遠位面上に配置される導電性リング２８５を含み得る。導電性リング２８５は、キャニスタコネクタ２６０がコネクタポート２０３に取り付けられると、金属接続部２８３との間の電気接点を確立することができる。キャニスタレスコネクタ２６２の遠位面は、キャニスタレスコネクタ２６２がコネクタポート２０３に取り付けられるとき、電気接点が金属接続部２８３の間に形成されないように、非導電性とすることができる。
【０１２３】
図２０は、第一の外径を有するコネクタ２０１によって作動され、第二の外径を有するコネクタ２０１によっては起動されないコネクタスイッチ３００を図示する。コネクタスイッチ３００は、コネクタポート２０３から遠ざかる第一の半径方向距離だけ、ポンプアセンブリ１５０のハウジング上に配置されてもよい。キャニスタレスコネクタ２６２は、キャニスタレスコネクタ２６２がコネクタポート２０３に取り付けられると、コネクタスイッチ３００がキャニスタレスコネクタ２６２に接触しないように、第一の半径方向距離より小さい外径を有し得る。キャニスタコネクタ２６０は、キャニスタコネクタ２６０がコネクタポート２０３に取り付けられると、キャニスタスイッチ３００がキャニスタコネクタ２６０に接触する（例えば、押し下げられる）ように、第一の半径方向距離以上の半径方向距離を有し得る。コネクタ２０１は、コネクタ２０１が管２０９に取り付けられることを可能にするフィッティング２９１（例えば、バーブフィッティング）を有することができる。キャニスタコネクタ２６０のフィッティング２９１は、キャニスタレスコネクタ２６２のフィッティング２９１と比較して異なるようサイズ決めされ得、それによってコネクタ２０１が不正確な管２０９に取り付けられの誤用を回避する。いくつかの配置では、コネクタポート２０３は、コネクタ２０１の雌ねじ山と嵌合する雄ねじ山を含み得る。
【０１２４】
図２１密封接続がコネクタポート２０３とコネクタ２０１との間で作られたかどうか、および、キャニスタコネクタ２６０またはキャニスタレスコネクタ２６２のどちらがコネクタポート２０３に接続されているかを、ポンプアセンブリ１５０が検出し得るように、複数のコネクタスイッチ３００が使用され得ることを図示する。例えば、ポンプアセンブリ１５０は、コネクタポート２０３から第一の半径方向距離に配置された第一のコネクタスイッチ３００ａと、コネクタポート２０３から第二の半径方向距離に配置された第二のコネクタスイッチ３００ｂとを有することができる。キャニスタレスコネクタ２６２は、キャニスタレスコネクタ２６２がコネクタポート２０３に接続されると、第一のコネクタスイッチ３００ａを起動させるが、第二のコネクタスイッチ３００ｂは起動させないようにサイズ決めできる。キャニスタコネクタ２６０は、キャニスタコネクタ２６０がコネクタポート２０３に接続されると、第一のコネクタスイッチ３００ａと第二のコネクタスイッチ３００ｂの両方を起動させるようサイズ決めできる。特定の配置では、コネクタスイッチ３００は、キー付きロックのタンブラー同様に配置され得る。例えば、コネクタ２０１は、コネクタ２０１のハウジングに沿って長軸方向に離間した一つまたは複数の突出部２９３を含み得る。突出部２９３は、ポンプアセンブリ１５０のハウジングの内側に長軸方向に離間した一つまたは複数の対応するコネクタスイッチ３００を起動させるようサイズ決めされ得る。突出部２９３は、コネクタ２０１がコネクタポート２０３に取り付けられると、凹部２９５内に受けられる。コネクタ２０１は、コネクタポート２０３上にコネクタ２０１をロックするために四分の一だけ回転され得、それによってコネクタスイッチ３００を対応する突出部２９３で起動させる。
【０１２５】
図２２は、コネクタポート２０３および／またはコネクタ２０１が、コネクタ２０１がコネクタポート２０３に密封するように取り付けられると表示するＬＥＤリング２９７を含み得ることを図示する。ＬＥＤリング２９７は、キャニスタコネクタ２６０またはキャニスタレスコネクタ２６２のどちらがコネクタポート２０３に取り付けられているかによって、異なる色を発光し得る。コネクタ２０１は、スイッチ３００内へ浸透する汚れを密封するように適合されたプロテクタ２９９を含み得る。
【０１２６】
図２３は、コネクタスイッチ３００が、キャニスタコネクタ２６０またはキャニスタレスコネクタ２６２のどちらがコネクタポート２０３に取り付けられているかを検出するための近接センサ３０３、光センサ（図示せず）、または磁石３０５のうち一つまたは複数を含み得ることを示す。センサは、ＲＦＩＤ−、機械的、フォトダイオード、磁気、または容量ベースのシステムを含み得る。ポンプアセンブリ１５０は、赤外線センサ３０７を含み得る。キャニスタコネクタ２６０は、キャニスタレスコネクタ２６２と比較して暗い材料で作製され得る。赤外線センサ３０７は、コネクタ２０１が暗い材料（例えば、キャニスタコネクタ２６０に対応する）から作製されるか、または、光材料（例えば、キャニスタレスコネクタ２６２に対応する）で作製されているかを区別するように適合され得る。
【０１２７】
図２４は、コネクタスイッチ３００が、キャニスタ２３０がポンプアセンブリ１５０に取り付けられた時を検出する磁気近接センサ５００（例えば、ホール効果センサ）を含み得ることを示す。キャニスタ２３０は、キャニスタ２３０内に埋め込まれた磁石５０２を有することができる。キャニスタコネクタポート２６０がポンプアセンブリ１５０のコネクタポート２０３に結合されると、キャニスタ２３０内に埋め込まれた磁石５０２は、ポンプアセンブリ１５０の磁気近接センサ５００に近づくことになる。磁気近接センサ５００は、磁石５０２の磁場の存在を検出できる。したがって、磁気近接センサ５００は、ポンプアセンブリ１５０上の検出回路を起動して、キャニスタ２３０がポンプアセンブリ１５０に取り付けられることを示し得る。いくつかの構成では、球状磁石５０２は、磁石５０２が実質的に均一な磁場を放射状に広げるように、キャニスタ内に埋め込まれる。いくつかの配置では、磁石３０５は、キャニスタレスコネクタ２６２内ではなくキャニスタコネクタ２６０内に埋め込まれ、ポンプアセンブリ１５０の磁気近接センサ５００が、キャニスタコネクタ２６０またはキャニスタレスコネクタ２６２のどちらがコネクタポート２０３に接続されているかを検出するのを可能にする。
【０１２８】
図２５は、ポンプアセンブリ１５０が、キャニスタ１６０に貼り付けられたＲＦＩＤラベル３０９を読み取るよう適合されたＲＦＩＤタグリーダーを含むことができることを示す。ポンプアセンブリ１５０は二つの互換性のあるインターフェース３１１を含み得、ひとつはキャニスタモード用であり、もう一つはキャニスタレスモード用である。互換性のあるインターフェース３１１は、ポンプアセンブリ１５０がどの動作モードを使用するかを決定できるようにするＩＤタグを含み得る。
【０１２９】
図２６は、ポンプアセンブリ１５０が、コネクタポート２０３に取り付けられるコネクタの抵抗特性を検出するよう構成されたコネクタポート２０３を含み得ることを示す。例えば、コネクタポート２０３は、コネクタポート２０３を通過する小さな電流を有するように構成され得る。キャニスタコネクタ２６０の材料特性は、キャニスタレスコネクタ２６２のものとは異なり得る。例えば、キャニスタコネクタ２６０は、キャニスタレスコネクタ２６２の抵抗特性と比較して、キャニスタコネクタ２６０の抵抗特性を減少させる鉄粉を含み得る。
【０１３０】
図２７は、キャニスタコネクタ２６０とキャニスタレスコネクタ２６２が同時にポンプアセンブリ１５０に取り付けられ得ないように、ポンプアセンブリ１５０が配置され得ることを示す。例えば、キャニスタ１６０は、ポンプポートに嵌合し、回転してキャニスタを所定位置にロックすることができる。キャニスタコネクタ２６０およびキャニスタレスコネクタ２６２は、個別のポートを使用してポンプアセンブリ１５０に接続できる。キャニスタ１６０がポンプアセンブリ１５０に取り付けられると、キャニスタレスコネクタポート２６２は、キャニスタ１６０によって塞がれ得る。ポンプアセンブリ１５０は、キャニスタ１６０をポンプアセンブリ１５０に接続するように適合された空気圧接続部３１３を含み得る。ポンプアセンブリ１５０は、キャニスタ１６０がポンプアセンブリ１５０に取り付けられるのを検出するセンサを含むことができる。ポンプアセンブリ１５０は、電池がポンプアセンブリ１５０からキャニスタ１６０を取り外すことなく変更され得るように適合された電池区画３１５を有することができる。ポンプアセンブリは、キャニスタレスコネクタの管２０９を、ポンプアセンブリ１５０の後部に対して着座したまま保持するのを助けるタブ３１７を含み得る。
【０１３１】
図２８は、キャニスタ１６０を回転させてキャニスタ１６０をポンプアセンブリ１５０に取り付けることによって、コネクタ３１９を通過する流路を変更させるコネクタを移動させるよう、ポンプアセンブリ１５０が適合され得ることを示す。
【０１３２】
図２９は、キャニスタ１６０が、ポンプアセンブリ１５０の後部の溝３２１上に摺動することができることを示す。キャニスタ１６０およびポンプアセンブリ１５０は、キャニスタ１６０が溝３２１上に摺動すると互いに整列するよう適合されたコネクタを含むことができ、それによってキャニスタ１６０とポンプアセンブリ１５０との間に空気経路を確立する。
【０１３３】
図３０は、ポンプアセンブリ１５０とキャニスタ１６０との間に機械的な音響接続が作られない限り、キャニスタ１６０が所定位置に取り付けられることができない、および／または、ロックされることができないように、ポンプアセンブリ１５０がラッチ３２３を組み込むことができることを示す。キャニスタポートは通常塞がれ得るが、キャニスタをポンプアセンブリに押し込むと、キャニスタポートに向かって「キャットフラップ」ラッチ３２５を開き、キャニスタレスポートを閉じる。
【０１３４】
図３１は、ポンプアセンブリ１５０が、ポンプアセンブリ１５０をキャニスタレスコネクタ２６２に接続するための第一のポートコネクタ２０３ａと、ポンプアセンブリ１５０をキャニスタコネクタ２６０に接続するための第二のポートコネクタポート２０３ｂを組み込むことができることを示す。
【０１３５】
図３２は、キャニスタ１６０が、ポンプアセンブリ１５０にかかる圧力選択を可能にするダイヤル３２７を含むことができることを示す。ダイヤル３２７は、特殊なツールのみで回転するように適合され得る。ダイヤルの位置は、スイッチ３２９と正接続することによって、設定をポンプアセンブリ１５０に示す。いくつかの配置では、圧力設定は、キャニスタ１６０がポンプアセンブリ１５０に取り付けられることなしには変更できない。いくつかの実施形態では、ダイヤル３２７は、ポンプアセンブリの側面上に位置する。例えば、図４Ｃに示す警報インジケータ１１６Ａは、上述の通り、ポンプアセンブリ１５０にかかる圧力選択を可能にするように構成されたダイヤル３２７と置き換えることができる。
【０１３６】
図３３は、ポンプアセンブリ１５０が、第二のコネクタポート２０３ｂとは異なる形状である第一のコネクタポート２０３ａを有することができ、それによって、間違ったコネクタ２０１をコネクタポート２０３に取り付ける誤使用を防止することを示す。第一のコネクタポート２０３ａは、ポンプアセンブリ１５０をキャニスタコネクタ２６０に接続するように適合され得る。第二のコネクタポート２０３ｂは、ポンプアセンブリ１５０をキャニスタレスコネクタ２６２に接続するように適合され得る。キャニスタコネクタ２６０は、ユーザがポンプアセンブリの圧力設定を選択できるノブ３３１を含み得る。ノブ３３１は、接点３３３を含み得る。ポンプアセンブリ１５０は、接点３３３の位置を感知することによってノブ３３１の位置を検出するように適合された対応する接点３３５を持ちうる。ポンプアセンブリ１５０は、ノブ３３１の位置に従ってその圧力設定を調整できる。
【０１３７】
図３４は、ポンプアセンブリ１５０が、キャニスタコネクタ２６０またはキャニスタレスコネクタ２６２のどちらがポンプアセンブリ１５０に接続されているかを信号で送信する電池カバー３３９に取り付けられたスイッチ３３７を有し得ることを示す。いくつかの配置では、電池パック３４１は、キャニスタ１６０と統合され得る。ポンプアセンブリ１５０は、「カートリッジ」スタイルの電池ドア３４３を含み得る。キャニスタ１６０は、間違った被覆材をポンプアセンブリ１５０に接続するユーザのエラーを除去するための空気圧結合部を含み得る。電池ドア３４３は、無効な圧力設定で閉じることができないように適合され得る。
【０１３８】
図３５は、ポンプアセンブリ１５０が、ポンプアセンブリ１５０の側面上に取り付けられた二つのコネクタポート２０３であることを示す。コネクタポート２０３はそれぞれ、それ自体の明確にマーク付けされたシリコンフラップ３４５を有し得る。コネクタポート２０３は、共通流路に分岐することができる。各フラップ３４５はコネクタポート２０３を隠す。各フラップ３４５は、閉じられると制御スイッチ３００を押圧して、どのフラップ３４５が使用されているかについて、制御ボード２０６に信号を送信する。フラップ３４５は、シリコンまたはその他の類似した変形しやすい材料で作製されることができ、それによって、フラップ３４５が未使用のコネクタポート２０３と気密シールを形成することを可能にする。
【０１３９】
図３６は、ポンプアセンブリ１５０が、マニホールド３４７に接続する二つのコネクタポート２０３を含み得ることを示す。ポンプアセンブリ１５０は、ポンプアセンブリ１５０が、コネクタ２０１がコネクタポート２０３にしっかりと取り付けられているかどうかを検出できるように適合された圧力センサ３４９を含み得る。ポンプアセンブリ１５０は、マニホールド３４７を開閉して、コネクタ２０１がコネクタポート２０３との流体密封シールを有するかどうかをチェックするスイッチ３５１を含み得る。
【０１４０】
図３７は、ポンプアセンブリ１５０が、二つのコネクタポート２０３と、二つのコネクタポート２０３の一方または他方を覆うスライドカバー３５３とを含み得ることを示す。スライドカバー３５３は、電気機械式スイッチとして機能することができる。ポンプアセンブリの制御ボード２０６は、スライドカバー３５３の位置を検出して、ポンプアセンブリ１５０がキャニスタコネクタ２６０またはキャニスタレスコネクタのどちらがコネクタポート２０３に取り付けられているかを判定できる。いくつかの配置では、二つのコネクタポート２０３は、不正確なコネクタ２０１をコネクタポート２０３に接続するのを回避するために、異なる形状である。いくつかの実施形態では、二つのコネクタポート２０１は異なる色である。コネクタポート２０３の色は、コネクタポート２０３に接続するための正しいコネクタ２０１であるコネクタ２０１の色と一致することができる。
【０１４１】
図３８は、ポンプアセンブリ１５０がユーザインターフェース２４０を含み得ることを示す。ユーザインターフェース２４０は、療法（再生／停止ボタンのような）および一つまたは複数のインジケータを起動および起動解除するボタン２４１を含み得る。例えば、インターフェース２４０は、低電池インジケータ２４２と、フルキャニスタインジケータ２４４と、漏れインジケータ２４６と、閉塞インジケータ２４８とを含み得る。特定の実装では、フルキャニスタインジケータ２４４を無効にすることができ、フル被覆材インジケータ（図示せず）を有効にすることができる。あるいは、いくつかの実施形態では、キャニスタフルおよび被覆材フルのインジケータは同じインジケータ（例えば、光）を共有することができ、動作モードに応じてインジケータを変化させる（例えば、光の色が変化して、キャニスタフルまたは被覆材フルを表示する）。
【０１４２】
図３９は、ポンプアセンブリ１５０が、ユーザがポンプアセンブリ１５０の動作を修正できる一つまたは複数の制御ボタン３６１を含み得ることを示す。本明細書に記載の、または、他の明細書に記載のボタンは、物理的物理的なボタンであってもよく、または、タッチスクリーンインターフェース上のボタンの仮想描写であってもよい。二つの実施形態を図３９に左右に図示する。左の実施形態では、ポンプアセンブリの動作を開始または停止するために、単一の制御ボタンが提供されてもよい。右の実施形態では、ユーザが装置の動作を開始および停止し、且つ、適用されることになる陰圧のレベルを設定することを可能にするよう、複数のボタンが提供されてもよい。例えば、キャニスタ動作モードでは、ユーザは、−６０ｍｍＨｇ、−８０ｍｍＨｇ、または−１２０ｍｍＨｇの三つの陰圧大きさの間で選択できる。いくつかの実施形態では、特定のボタンは、一つの動作モード（例えば、キャニスタ動作モード）で起動または使用可能であるが、別の動作モード（例えば、キャニスタレス動作モード）では使用できない。いくつかの実施形態では、図３９の左右の側面に示される制御が、タッチスクリーンの代替スクリーンであってもよく、第一のスクリーンが第一の動作モード（例えば、キャニスタレスモード）に利用され、第二のスクリーンが第二の動作モード（例えば、キャニスタモード）に利用されてもよい。いくつかの実施形態では、ポンプアセンブリ１５０がキャニスタモードまたはキャニスタレスモードのどちらで使用されているかをユーザが指定できるように、制御ボタンが適合され得る。いくつかの配置では、制御ボタンは、ポンプアセンブリ１５０が自動検出機能を有する必要性を除くことができる。
【０１４３】
図４０は、ポンプアセンブリ１５０が、圧力を選択するのと同時にポンプアセンブリ１５０の動作モードを選択する単純なスイッチを含み得ることを示す。
【０１４４】
図４１および図４２は、ポンプアセンブリ１５０の異なる設計を図示する。ポンプアセンブリ１５０は、ポンプアセンブリ１５０がキャニスタ１６０に取り付けられると円盤様構造を形成することができる。キャニスタハウジングは、底部ステップ３６７を有することができる。ポンプアセンブリ１５０およびキャニスタ１６０は、互いに取り付けられると、頂部ステップ３６９を形成することができる。ポンプアセンブリ１５０は、後ろから点灯するアイコン３６３を含み得る。キャニスタ１６０は、透明な材料で作製され得る。ポンプアセンブリ１５０は、大きな警報灯３６５を含み得る。ポンプアセンブリ１５０は、スライドオン／オフスイッチ３７３を有することができる。
【０１４５】
図４３は、キャニスタコネクタ２６０が、ピーク圧力を減少させるために、ポンプアセンブリ１５０とキャニスタ１６０との間の穴のサイズを増加させるように適合され得ることを示す。キャニスタレスコネクタ２６２は、ピーク圧力が変化しないようにする小さな穴を有することができる。穴サイズのこの差異の結果としてのピーク圧力の差は、ポンプアセンブリ１５０に、二つの動作モード間のより大きな差異を提供することができる。
【０１４６】
図４４は、キャニスタ１６０が、可撓性膜３７５を含むことができることを示す。膜３７５は、圧力が低下すると撓むように適合され得る。ポンプアセンブリ１５０は、圧力が低下すると膜３７５の動きを検出するように適合され得る。
【０１４７】
図４５は、キャニスタ１６０が、キャニスタ１６０の圧力オーバーシュート信号３７９を拡大する可撓性ベローズ３７７を含むことができることを示す。ベローズ３７９は、ベローズを崩壊するために作業が必要なように配置され得る。
【０１４８】
図４６は、キャニスタレスコネクタ２６２が、設定したクラッキング圧（例えば、−４０Ｍｍｈｇ）を有する逆止め弁３８１を含み得ることを示す。ポンプアセンブリ１５０は、キャニスタレス動作モードで非常に短い間（例えば、１００ミリ秒パルス）起動され得る。逆止め弁３８１はひび割れせず、ポンプアセンブリは減圧を測定できる。キャニスタコネクタ２６０がポンプアセンブリ１５０に接続されると、無制限経路は、ポンプアセンブリ１５０からの圧力のパルスに応じた圧力変化を生じさせない。
【０１４９】
図４７は、キャニスタレスコネクタ２６２がフラップ３８３を含むことができ、キャニスタコネクタ２６０がフラップ３８３を含むことができないことを示す。フラップ３８３は、フラップ３８３を含まないキャニスタコネクタ２６０の信号と比較して、キャニスタレスコネクタ２６２の異なる圧力信号（例えば、機械的振動）を生成するように適合され得る。フラップ３８３の機械的振動は、ポンプアセンブリ１５０によって検出され得る圧力振動を作り出すことができる。いくつかの実施形態では、コネクタ２０１は、空気がコネクタ２０１を通過するときに音を生成する構造を含み得る。ポンプアセンブリ１５０は、コネクタ２０１によって作られるノイズを検出できる圧力センサを含み得る。例えば、キャニスタコネクタ２６０は「カズー」タイプの音を生成するように配置され得る一方、キャニスタレスコネクタ２６２は「口笛」タイプの音を生成する。ポンプアセンブリ１５０の圧力センサ２０９は、キャニスタコネクタ２６０の「カズー」タイプの音と、キャニスタレスコネクタ２６２の音の「口笛」タイプを区別するように適合され得る。
【０１５０】
図４８は、キャニスタコネクタ２６０が、ポンプアセンブリ１５０が圧力変化または機械的確認によってキャニスタ１６０を識別できる二重内腔管３８５を含み得ることを示す。
【０１５１】
本明細書に記載されるように、いくつかの実施形態によるキャニスタの有無を検出するために様々な検出器を使用できる。検出器は、近接検出器（容量性、光電性、誘導性、等）、光学検出器、電磁検出器（リード検出器、ホールエフェクト検出器、磁気検出器、等）、無線自動識別（ＲＦＩＤ）検出器、バーコード検出器、ＱＲコード（登録商標）検出器、のうちの一つまたは複数を含み得る。
【０１５２】
図４９は、いくつかの実施形態によるＴＮＰシステムの動作状態図６００を図示する。状態図６００は、装置１５０の制御ボード２０６によって実装され得る。例えば、状態図６００は、コントローラによって実行され得る。状態図６００は、活性化状態６０２、動作状態６０４（陰圧創傷治療が提供されている）、寿命（ＥＯＬ）状態６２０、および非回復可能なエラー（ＮＲＥ）状態６２２を含む。
【０１５３】
状態図６００は、ＴＮＰシステムがユーザによって起動されたら、起動状態６０２に入ることができる。起動は、例えば、初めてフィールドに電力をシステムに適用する（システムをオンにすることによって、等）ことを含むことができる。いくつかの実施形態では、ＴＮＰシステムは、初回起動から特定の耐用期間（７日間、１０日間、２０日間、３０日間、等）にわたって動作し、持続期間が経過した後の動作を中止するように構成され得る。ＴＮＰシステムは、初期起動から持続時間を追跡し、追跡した持続時間が持続寿命期間に達すると、ＥＯＬ状態６２０へ移行し得る。陰圧創傷療法の提供は、ＥＯＬ状態６２０に達すると、許可されない場合がある。
【０１５４】
状態６０２での起動後、状態図６００は、一つまたは複数のテストが実施されて、ＴＮＰシステムが意図されるように動作していることを判断する、状態６０６へ移行できる。例えば、状態６０６では、記憶テスト、コントローラウォッチドッグテスト、Ｉ／Ｏテスト、ユーザインタフェーステスト、圧力センサテスト、等のテストのうちの一つまたは複数が実施され得る。圧力センサテストは、圧力センサに直列に位置決めされた抵抗器と、抵抗器にかかる電流または電圧のうちの少なくとも一方を感知するフィードバック回路とを含み、圧力センサの誤作動（短絡回路、開回路、等）があるかどうかを検知する電気回路を利用して実施され得る。いくつかの実装では、抵抗器を圧力センサと並列に位置決めする、複数の抵抗器または別の回路要素を利用する、等が可能である。一つまたは複数のテストが失敗した場合、状態図６００は、ＮＲＥ状態６２２に移行でき、ここでは陰圧創傷治療の提供が許可されない場合がある。
【０１５５】
ＴＮＰシステムが、状態６０６で一つまたは複数のテストに合格すると、状態図６００は、陰圧創傷療法の起動を待つことができる、スタンバイ状態６０８に移行できる。こうした起動は、ユーザによって（例えば、ボタン２０２を押すことによって）、または、期間満了時に自動的に実施され得る。陰圧源は、スタンバイ状態６０８ではアクティブではない場合がある。
【０１５６】
状態図は、陰圧創傷療法が状態６０８で起動されると、ポンプダウン状態６１０に移行できる。状態６１０では、ＴＮＰシステムは、陰圧源を起動して、創傷（例えば、創傷被覆材）における陰圧の特定の標的レベルを提供または達成することができる。ＴＮＰシステムは、キャニスタあり、またはキャニスタ無しで動作するよう構成され得るため（図５０参照）、陰圧創傷療法の提供は、一つまたは複数の動作パラメータが異なり得るキャニスタモードおよびキャニスタレスモードに従って実施され得る。いくつかの実施形態では、陰圧源によって創傷に提供される陰圧の標的レベルは、ＴＮＰシステムがキャニスタモードで動作するときに調節可能または選択可能とすることができる。キャニスタレスモードでは、陰圧の標的レベルは、特定の値に設定されてもよく、調節可能でなくてもよい。
【０１５７】
いくつかの実装では、コントローラは、キャニスタまたはキャニスタレス動作モードに応じて、圧力源を異なるように動作させることができる。例えば、キャニスタ動作モードでは、陰圧源は、流体流路内の圧力を測定する圧力センサからのフィードバック（創傷における圧力を直接的または間接的に示すことができる）に基づいて連続的に動作され得る。陰圧の標的レベルと創傷における実際の陰圧との間の誤差を最小化するために、陰圧源は、パルス幅調節（ＰＷＭ）制御、比例積分微分（ＰＩＤ）制御、または別の好適な制御機構を使用して動作され得る。フィードバック圧力測定値に基づくこのタイプの連続的制御は、流体流路内に制御された空気漏れが導入されるときに（例えば、被覆材ポートを通して）効果的になり得る。
【０１５８】
特定の実装では、キャニスタレス動作モードは、陰圧の標的レベルが創傷で確立されている間は起動され、その後起動解除されるよう、陰圧源を制御することを含み得る。一つまたは複数の漏れによって、創傷での陰圧が陰圧の標的レベルより低くなると（例えば、陰圧の標的レベルに対して閾値レベル未満）、陰圧源は創傷での陰圧の標的レベルを再確立させるよう再起動され得る。キャニスタレスモードでは、陰圧源は連続的に動作しない場合がある。
【０１５９】
創傷での陰圧が標的レベルに達すると、状態図６００は、ポンプダウン状態６１０からメンテナンス状態６１２へ移行でき、陰圧の標的レベルが維持される。上述のように、メンテナンスは、ＴＮＰシステムがキャニスタモードまたはキャニスタレスモードのどちらで動作しているかに応じて、異なって実施され得る。状態図は、療法を停止するまで（例えば、ユーザが療法を停止させるボタンを押すことによって）まで、メンテナンス状態６１２に留まることができ、その場合、スタンバイ状態６０８への移行がなされ得る。
【０１６０】
いくつかの実施形態では、陰圧創傷療法が提供されている間、状態図６００は、状態６１４の閉塞または漏出検出のうちの少なくとも一つを実施できる。例えば、陰圧源がアクティブである間、状態６１４を定期的に実行することができる。閉塞検出には、創傷における圧力または陰圧源の活動レベル（例えば、陰圧源のアクチュエータの負荷サイクルで示されるように）のうちの少なくとも一方を監視することを含み得る。創傷における圧力が陰圧の標的レベルより低く、活動レベルが流体流路内の閉塞と関連付けられた閾値を満足する場合、閉塞が検出され得る。閉塞検出は、キャニスタまたはキャニスタレス動作モードにおいて、異なって実施され得る。例えば、様々な活動レベル閾値が、キャニスタおよびキャニスタレスモードで使用され得る。別の例として、閉塞検出は、モードのうちの一つで一時停止され得る。
【０１６１】
いくつかの実装では、漏れ検出は、創傷における圧力または陰圧源の活動レベル（例えば、負荷サイクル）のうちの少なくとも一方の圧力を監視することを含み得る。創傷における圧力が陰圧の標的レベルより低く、活動レベルが流体流路内の漏れと関連付けられた閾値を満足する場合、漏れが検出され得る。漏れ検出は、キャニスタまたはキャニスタレス動作モードにおいて、異なって実施され得る。例えば、陰圧源の負荷サイクルが経時的に（５分間、７分間、１０分間、等）漏れ閾値（２０％、３０％、等）を満たすと、漏れがキャニスタレスモードで検出され得る。キャニスタモードでは、持続時間（５分間、７分間、１０分間、等）中に標的陰圧に到達しなかった場合、漏れが検出され得る。別の例として、閉塞検出は、モードのうちの一つで一時停止され得る。
【０１６２】
特定の実装では、閉塞または漏れ検出のうちの少なくとも一方は、状態図６００がポンプダウン状態６１０またはメンテナンス状態６１２のどちらにあるかに応じて異なって実施され得る。例えば、漏れを検出する持続続間は、メンテナンス状態６１２の場合よりも、ポンプダウン状態６１０の場合の方が短くてもよい。この差は、陰圧の標的レベルに達することを防ぐ、被覆材シールに存在する一つまたは複数の漏れ（例えば、創傷にわたって被覆材を不正確に配置することによる）は、創傷における標的陰圧のメンテナンス中よりも、初期ポンプ下降中の方がより懸念が大きいためであり得る。
【０１６３】
いくつかの実施形態では、ＴＮＰシステムは、状態の一つまたは複数に到達すること、または、状態図６００における一つまたは複数の移行を実施することに関する、一つまたは複数の表示を提供することができる。本明細書に開示されるように、一つまたは複数の表示は、視覚、聴覚、触覚等であり得る。いくつかの事例では、表示は、代替的または追加的に、陰圧源を起動解除させることを含む。例えば、閉塞または漏れの少なくとも一つが検出されたら、陰圧源が起動解除され得る。
【０１６４】
図５０は、いくつかの実施形態によるＴＮＰシステムの動作プロセス６５０を図示する。プロセス６５０は、装置１５０の制御ボード２０６によって実装され得る。例えば、プロセス６５０は、コントローラによって実行され得る。プロセス６５０は、流体流路内のキャニスタの有無を検出する、状態６５２で始まる。検出は、本明細書に記載のアプローチおよび検出器のいずれかを使用して実施することができる。状態６５２は、療法が開始されたとき、（図５１のスタンバイ状態６０８からポンプダウン状態６１０への移行）または、創傷における陰圧の標的レベルが維持されているとき（図５１の状態６１２）に実行され得る。いくつかの実施形態では、陰圧療法が、療法を遮断することなく提供されている間（例えば、陰圧源がアクティブである間）は、ＴＮＰシステムをキャニスタモードからキャニスタレスモードに切り替えることができ、またはその逆も可能である。例えば、陰圧療法が提供されている間は、キャニスタを取り外す、または取り付けることができ、ＴＮＰシステムは、陰圧源を起動解除することなくこの変化を検出するように構成され得る。特定の実装では、陰圧創傷療法は、ＴＮＰシステムがキャニスタモードからキャニスタレスモードに切り替えられる、またはその逆のとき、中断され得る。
【０１６５】
状態６５２では、キャニスタが検出されると、プロセス６５０は、本明細書に記載のキャニスタモードでＴＮＰシステムが動作する状態６５４に移行する。キャニスタが検出されないと、プロセス６５０は、本明細書に記載のキャニスタレスモードでＴＮＰシステムが動作する状態６５６に移行する。
【０１６６】
図５１Ａ〜図５１Ｃは、いくつかの実施形態による光学検出を図示する。図示されるように、光学検出器は、光７０８を放射する放射器７０４（ＬＥＤ等）と、放射光７０８を検出する検出器７０６（フォトダイオード、光トランジスタ、等）を含み得る。いくつかの実装では、放射器および検出器を共に配置し得る、反射検出器が使用され得る。いくつかの実施形態では、光学検出器は、ポンプアセンブリのハウジングの凹部７０２内に位置付けられ得る。キャニスタは、キャニスタが流体流路内に位置付けられていると、挿入されて、凹部７０２内に嵌合する突出部７１０（フィン１７０Ａ、等）を含み得る。図５１Ｂおよび図５１Ｃにそれぞれ図示されている通り、突出部７１０は、放射光７０８を部分的にまたは実質的に完全に塞ぐことができ、これは検出器７０６によって検出され得る。キャニスタ（図５１Ｃ）の不正確な位置決め（図５１Ｂ）および正確な位置決め（例えば、挿入）は、光学検出器によって検出され得る。
【０１６７】
いくつかの実装では、検出器は代替的に、または追加的に、キャニスタ上に位置付けられた一つまたは複数のインジケータを検出することができる。例えば、キャニスタハウジングおよび／または管は、検出器によって検出できるカラーパターン、形状、バーコードパターン、ラベル等のうちの一つまたは複数を含み得る。インジケータは、陰圧創傷療法の提供に使用するための、キャニスタサイズといった、キャニスタの一つまたは複数のパラメータに対応する情報を記号化するのに使用できる。さらに、インジケータの検出は、キャニスタの正確な位置決めに関する情報を提供することができる。例えば、バーコード検出器は、キャニスタが正しく位置決めされていることを判断するための、キャニスタバーコードのバーの数をカウントできる。
【０１６８】
特定の実施形態では、キャニスタは、ハウジングおよび／または管内に埋め込まれた一つまたは複数の磁石を有することができる。ポンプアセンブリは、キャニスタが流体流路内に位置付けられているとき、一つまたは複数の磁石の磁場を検出する磁場検出器（リードスイッチ、ホールエフェクトセンサ、等）を含み得る。磁石は、球状磁石（実質的に均一な半径方向磁場を有し、より確実に検出され得る）か、または、その他任意の好適な形状および強度の磁石とすることができる。キャニスタの適切な位置決めは、磁場の検出された強度に基づいて検出され得る。
【０１６９】
図５２は、いくつかの実施形態によるＴＮＰシステムのロジックパスセットを示す。一つの実施形態のロジックパスセットは、ＴＮＰシステムが望ましくない陰圧で動作するのを防止できる。特定の配置では、ＴＮＰシステムは、ユーザが印加された陰圧のパラメータ（例えば、大きさ）を調整することを可能にすることができる。ＴＮＰシステムは、ユーザが一つの動作モード（例えば、キャニスタモード）でパラメータを調整でき、ユーザが別の動作モード（例えば、キャニスタレスモード）ではパラメータを調整できないようにし得る。ことができる。例えば、キャニスタが流路内に接続されている場合（例えば、キャニスタまたはＲＥＮＡＳＹＳ（商標）モード）、ＴＮＰシステムは、ユーザが、可能な陰圧の大きさ（例えば、−６０Ｍｍｈｇ、−８０Ｍｍｈｇ、−１２０Ｍｍｈｇ）のセットから選択できるようにすることができる。キャニスタレス被覆材がＴＮＰシステムに接続されている場合（例えば、キャニスタレスまたはＰＩＣＯ（商標）モード）、いくつかの実施形態では、ＴＮＰシステムは、陰圧（例えば、−８０Ｍｍｈｇ）の一つの大きさのみで動作し、ユーザの選択性を提供しないよう構成され得る。陰圧がどのように起動され、キャニスタおよびキャニスタレスモードに選択され得るかに関するさらなる詳細は、下記の図３８および図３９に関して、本明細書の他の箇所に記載されている。ＴＮＰシステムは、ユーザによって動作され得る電力またはオン／オフスイッチをさらに含んでもよく、下記にさらに記載するいくつかの実施形態では、ＴＮＰシステムは、システムの特定の特徴を動作させるために、特定のイベントが発生した後に、ユーザが装置の電源オフおよびオンをするよう要求するよう構成され得る。
【０１７０】
引き続き図５２を参照すると、ロジックパスセットは、ＴＮＰシステムが所定の陰圧値（例えば、−８０Ｍｍｈｇ）以外の圧力でのキャニスタレスモードで動作するのを防止するように配置され得る。ＴＮＰシステムは、ポンプアセンブリ１５０がキャニスタモードまたはキャニスタレスモードのどちらで動作するかを示すモードスイッチ（例えば、図７Ｂに示すスイッチ１５８Ａ）を含むことができる。図示した実施形態では、デフォルト動作モードは、モードスイッチが押されていないまたは起動されないと、ＴＮＰシステムがキャニスタレスモードで動作するという点で、キャニスタレスモードである。このシステムは、以下の図３８および図３９に関連して説明したように、陰圧を創傷にかけ始めることを、ＴＮＰシステムに信号を送る療法ボタンを含み得る。装置の電源が入れられ、療法ボタンが押されると、装置は、ポンプアセンブリ１５０と創傷の間に流体シールが確立されているかどうかを判断するために、初期ポンプダウン（ＩＰＤ）を実施できる。ＩＰＤパラメータは、ＴＮＰシステムの動作モードによって異なる。例えば、ＴＮＰシステムは、システムがキャニスタレスモードで動作しているとき、ＩＰＤパス条件とは異なるキャニスタモードでシステムが動作するとき、ＩＰＤパス状態を有することができる。ＴＮＰシステムが選択された動作モードのＩＰＤパス状態を満たすことができる場合、システムはメンテナンスモードを開始することができる。システムは、選択された陰圧をメンテナンスモードで創傷に印加することができる。ＴＮＰシステムが選択されたモードのＩＰＤパス状態を満たすことができない場合、システムはポンプアセンブリの動作を停止し、漏れ警報の信号を送信することができる。
【０１７１】
ＩＰＤの間にモードスイッチの状態が変更されると、ロジックパスセットは、ＴＮＰシステムの動作を中断するように配置できる。例えば、図５２に示すロジックパスセットの右側を参照すると、装置の電源が入れられ、療法ボタンが検出されたキャニスタコネクタなしで押されると（例えば、モードスイッチが押されない）、ＴＮＰシステムはキャニスタレスモードのＩＰＤを開始する。メンテナンスモードが開始される前にモードスイッチが押されたことをシステムが検出すると、ＴＮＰシステムは警報を点滅させ、ポンプに電源を供給しない。警報は、電力サイクルが必要なことを示すことができる。ポンプが起動解除された後、ポンプの電力を回復させるためには、装置の電源をオフにしてから、再度装置の電源を入れる必要がある。
【０１７２】
ポンプのこの警告および電力停止、ならびにポンプの電源を再度オフおよびオンするためのその後の要件は、実施形態において、キャニスタレス動作モードについては単一の所定陰圧値が治療のために所望されるかまたは命令される実施形態においては、有利であり得る。例えば、これは、ユーザがキャニスタレスモードで装置を使用し始め、次に、ユーザが所定値（例えば、−８０Ｍｍｈｇ）以外の陰圧を選択できるモードスイッチを押すことを防止することができる。
【０１７３】
図５２に示されるロジックパスセットの最も右側の経路に示されるように、メンテナンスモードがキャニスタレスモードのために開始されると、この時間の後にスイッチが押されてもＴＮＰシステムの動作には影響がないように、モードスイッチが起動解除され得る。このことは、キャニスタレス動作モードにおいて、単一の所定陰圧値のみが利用されることを確実にするのに有利であり得る。いくつかの実施形態では、後にユーザがキャニスタモードで装置を利用できるようにするために、装置を電源オフし、再びオンする必要がある。
【０１７４】
図５２のロジックパスの左側を参照すると、ＴＮＰシステムがキャニスタモードで動作しているとき、初期ポンプ下降中および保守モード開始前にモードスイッチが押されていないという検出により、漏れ警報に警報を出させ、ポンプを起動解除させ得るように、システムが構成され得る。これにより、ポンプを動作できるように、装置が電力サイクル（オフしてからオン）を経ることが必要となる。これにより、ユーザがキャニスタ動作モード（例えば、−１２０Ｍｍｈｇ）で使用されることになる圧力を選択し、キャニスタを取り除き、キャニスタレス被覆材をシステムに取り付けて、キャニスタレス動作モード（例えば、−８０ｍｍＨｇ）に所望されるかまたは命令される陰圧値とはことなる陰圧（例えば、−１２０ｍｍＨｇ）で動作するのを防止することができる。
【０１７５】
キャニスタモードにおいて、装置が初期ポンプダウンを通過し、メンテナンスモードに入ると、ポンプが動作している間にそのスイッチが続いて押されることがなくなり、ポンプの動作を起動解除させる漏れ警報が生じ得る。いくつかの実施形態では、装置は、再び動作され得る前に、電源をオフにし、再度オンにする。いくつかの構成では、ＴＮＰシステムは、システムがキャニスタモードで動作している場合、療法ボタンが押されて療法を一時停止または停止させ、次いで、キャニスタが取り除かれ、その後、ＴＮＰシステムは、キャニスタレスモード（例えば、−８０ｍｍＨｇ）で動作し得、電力サイクルを必要としないように配置され得る。
【０１７６】
（あらゆる添付資料、特許請求の範囲、要約書、および図面を含む）本明細書において開示されるすべての特徴、及び／又はそのように開示されるあらゆる方法もしくはプロセスのすべてのステップは、そのような特徴及び／又はステップのうち少なくともいくつかが相互に排他的である組み合わせを除いて、任意の組み合わせで組み合わされてよい。開示対象は、いかなる前述の実施形態の詳細にも制限されない。開示は、本明細書（添付の特許請求の範囲、要約書および図面のいずれをも含む）に開示する特徴のいずれか新規のもの、もしくはいずれか新規の組み合わせ、または同様に開示するいずれの方法もしくは過程のステップのいずれか新規のもの、もしくはいずれか新規の組み合わせに及ぶ。
【０１７７】
実施形態によっては、図示または開示されたプロセスにおいて実施される実際のステップは、図に示されたステップとは異なりうることを、当業者は認識するであろう。実施形態によっては、上述したステップのうちの特定のステップが除去される場合があり、別のものが加えられる場合もある。例えば、開示されるプロセスで実施される実際のステップまたはステップの順序は、図で示したものとは異なっていてもよい。実施形態によっては、上述したステップのうちの特定のステップが除去される場合があり、別のものが加えられる場合もある。例えば、図に示した様々な構成要素が、プロセッサ、コントローラ、ＡＳＩＣ、ＦＰＧＡ、または専用ハードウェア上のソフトウェアまたはファームウェアとして実装されてもよい。プロセッサ、ＡＳＩＣ、ＦＰＧＡ等のハードウェア構成要素には論理回路が含まれうる。さらに、上記に開示された特定の実施形態の特徴及び特性は、様々な方法で組み合わせることができ、さらなる実施形態を形成することができるが、その全てが本開示の範囲内に収まることになる。
【０１７８】
「し得る（ｃａｎ）」、「できる（ｃｏｕｌｄ）」、「可能性がある（ｍｉｇｈｔ）」、または「場合がある（ｍａｙ）」などの条件付き言い回しは、別途具体的に記載されない限り、または使用される文脈の範囲内で別途解釈されない限り、一定の実施形態が、特定の特徴、要素、またはステップを含む一方で、他の実施形態は含まないということの伝達を意図するのが通例である。したがって、こうした条件付き言い回しは、特徴、要素、またはステップが一つまたは複数の実施形態に多少なりとも必要とされるという示唆、またはこれらの特徴、要素、もしくはステップが特定の任意の実施形態に含まれているかどうか、もしくは該実施形態で実施されるべきかどうかを、ユーザ入力または命令の有無にかかわらず決定するためのロジックが、一つまたは複数の実施形態に必然的に含まれているという示唆を必ずしも意図するものではない。「備える（ｃｏｍｐｒｉｓｉｎｇ）」、「含む（ｉｎｃｌｕｄｉｎｇ）」、及び「有する（ｈａｖｉｎｇ）」等の用語は、同義語であり、包含的に非限定様式で用いられ、追加の要素、特徴、行為、及び動作等を排除するものではない。また、用語「または（ｏｒ）」は、包括的な意味で（排他的な意味ではなく）用いられることで、例えば要素の列記をつなぐのに使用される場合、列記の要素のうちの一つ、一部、または全てを意味することになる。同様に、「および（ａｎｄ）／または（ｏｒ）」という用語は、二つ以上の項目の列挙に関して、言葉の以下の解釈のすべて：列挙内の項目も任意の一つ、列挙内のすべての項目、および列挙内の項目の任意の組み合わせ、を網羅する。さらに、用語「各々」は、本明細書で使用される場合、通常の意味を有するのに加えて、用語「各々」が適用されている一連の要素の任意のサブセットも意味し得る。さらに、本明細書で使用される場合、「本明細書での（ｈｅｒｅｉｎ）」、「上記（ａｂｏｖｅ）」、「下記（ｂｅｌｏｗ）」および類似する言葉は、本出願で使用される場合、本明細書の全体を指し、本明細書の特定の部分を指すものではないことを意味する。
【０１７９】
語句「Ｘ、Ｙ、およびＺのうちの少なくとも一つ」などの連言的言い回しは、別途具体的に記載されない限り、ある項目や用語などが、Ｘか、Ｙか、Ｚのいずれかであり得ることを伝えるのに一般的に用いられる文脈と共に、別途解釈されるものである。したがって、こうした連言的言い回しは、特定の実施形態が、少なくともＸのうちの一つと、少なくともＹのうちの一つと、少なくともＺのうちの一つとを含むことを必要とするという示唆を必ずしも意図するものではない。
【０１８０】
本明細書で使用される「およそ」、「約」、「概して」、および「実質的に」という用語などの、本明細書で使用される程度を表す言い回しは、所望の機能を依然として果たすかまたは所望の結果をもたらす所定の値、量、または特性に近い値、量、または特性を表すものである。例えば、「およそ」、「約」、「概して」、及び「実質的に」という用語は、所定の量の１０％未満以内、５％未満以内、１％未満以内、０．１％未満以内、及び０．０１％未満以内の量を意味し得る。別の例として、一定の実施形態において、「概して平行」及び「実質的に平行」という用語は、丁度平行である状態から１５度以下、１０度以下、５度以下、３度以下、１度以下、または０．１度以下ずれている値、量、または特性を意味する。
【０１８１】
本開示に記載する実装に対する様々な変形は、当業者には容易に明らかとなってもよく、本明細書に定義する全体的な原理は、本開示の精神または範囲を逸脱することなく、他の実装に適用されてもよい。それゆえ、開示は、本明細書に示す実装に限定することは意図していないが、本明細書に記載する原理および特徴と一致する、最も広い範囲が与えられるべきである。開示のある実施形態は、以下に列挙する、または後に提示する請求項の組に網羅される。
【図１】
0006926239.tif 000002
【図２】
0006926239.tif 000003
【図３Ａ】
0006926239.tif 000004
【図３Ｂ】
0006926239.tif 000005
【図４Ａ】
0006926239.tif 000006
【図４Ｂ】
0006926239.tif 000007
【図４Ｃ】
0006926239.tif 000008
【図４Ｄ】
0006926239.tif 000009
【図４Ｅ】
0006926239.tif 000010
【図４Ｆ】
0006926239.tif 000011
【図４Ｇ】
0006926239.tif 000012
【図４Ｈ】
0006926239.tif 000013
【図４Ｉ】
0006926239.tif 000014
【図４Ｊ】
0006926239.tif 000015
【図４Ｋ】
0006926239.tif 000016
【図５】
0006926239.tif 000017
【図６】
0006926239.tif 000018
【図７Ａ】
0006926239.tif 000019
【図７Ｂ】
0006926239.tif 000020
【図７Ｃ】
0006926239.tif 000021
【図８Ａ】
0006926239.tif 000022
【図８Ｂ】
0006926239.tif 000023
【図８Ｃ】
0006926239.tif 000024
【図９】
0006926239.tif 000025
【図１０】
0006926239.tif 000026
【図１１】
0006926239.tif 000027
【図１２】
0006926239.tif 000028
【図１３Ａ】
0006926239.tif 000029
【図１３Ｂ】
0006926239.tif 000030
【図１３Ｃ】
0006926239.tif 000031
【図１３Ｄ】
0006926239.tif 000032
【図１３Ｅ】
0006926239.tif 000033
【図１３Ｆ】
0006926239.tif 000034
【図１３Ｇ】
0006926239.tif 000035
【図１３Ｈ】
0006926239.tif 000036
【図１３Ｉ】
0006926239.tif 000037
【図１３Ｊ】
0006926239.tif 000038
【図１３Ｋ】
0006926239.tif 000039
【図１３Ｌ】
0006926239.tif 000040
【図１３Ｍ】
0006926239.tif 000041
【図１３Ｎ】
0006926239.tif 000042
【図１３Ｏ】
0006926239.tif 000043
【図１３Ｐ】
0006926239.tif 000044
【図１３Ｑ】
0006926239.tif 000045
【図１３Ｒ】
0006926239.tif 000046
【図１３Ｓ】
0006926239.tif 000047
【図１４】
0006926239.tif 000048
【図１５】
0006926239.tif 000049
【図１６Ａ】
0006926239.tif 000050
【図１６Ｂ】
0006926239.tif 000051
【図１６Ｃ】
0006926239.tif 000052
【図１６Ｄ】
0006926239.tif 000053
【図１６Ｅ】
0006926239.tif 000054
【図１７】
0006926239.tif 000055
【図１８】
0006926239.tif 000056
【図１９】
0006926239.tif 000057
【図２０】
0006926239.tif 000058
【図２１】
0006926239.tif 000059
【図２２】
0006926239.tif 000060
【図２３】
0006926239.tif 000061
【図２４】
0006926239.tif 000062
【図２５】
0006926239.tif 000063
【図２６】
0006926239.tif 000064
【図２７】
0006926239.tif 000065
【図２８】
0006926239.tif 000066
【図２９】
0006926239.tif 000067
【図３０】
0006926239.tif 000068
【図３１】
0006926239.tif 000069
【図３２】
0006926239.tif 000070
【図３３】
0006926239.tif 000071
【図３４】
0006926239.tif 000072
【図３５】
0006926239.tif 000073
【図３６】
0006926239.tif 000074
【図３７】
0006926239.tif 000075
【図３８】
0006926239.tif 000076
【図３９】
0006926239.tif 000077
【図４０】
0006926239.tif 000078
【図４１】
0006926239.tif 000079
【図４２】
0006926239.tif 000080
【図４３】
0006926239.tif 000081
【図４４】
0006926239.tif 000082
【図４５】
0006926239.tif 000083
【図４６】
0006926239.tif 000084
【図４７】
0006926239.tif 000085
【図４８】
0006926239.tif 000086
【図４９】
0006926239.tif 000087
【図５０】
0006926239.tif 000088
【図５１】
0006926239.tif 000089
【図５２】
0006926239.tif 000090